(57)【特許請求の範囲】
【請求項１】
搬送波集成及び上りリンク−下りリンク設定の再設定を支援する無線通信システムにおいて、集成されたセルの同時送受信を支援しないように構成された端末（ＵＥ）により信号を受信する方法であって、前記方法は、
プライマリーセルの特別サブフレーム及びセカンダリーセルの下りリンクサブフレームに対応する特定の無線リソース上で、前記セカンダリーセルに対する下りリンク制御情報を受信することと、
前記プライマリーセルの上りリンク−下りリンク設定によって前記下りリンク制御情報の有効性を判断することと
を含み、
前記下りリンク制御情報は、前記プライマリーセルがノンフォールバックモードにある場合に、有効でないと判断され、前記下りリンク制御情報は、前記プライマリーセルがフォールバックモードによるＴＤＤ（Ｔｉｍｅ  Ｄｉｖｉｓｉｏｎ  Ｄｕｐｌｅｘ）上りリンク−下りリンク設定に対応し、かつ、前記セカンダリーセルが前記プライマリーセルによってクロス−キャリアスケジューリングされる場合に、有効であると判断される、方法。
【請求項２】
前記下りリンク制御情報が有効であると判断される場合に、前記特定の無線リソース上で物理下りリンク共有チャネル（ＰＤＳＣＨ）を受信することをさらに含む、請求項１に記載の方法。
【請求項３】
前記有効性の判断は、
前記ＵＥに対して前記特別サブフレームの時間区間と同一の時間区間の下りリンクサブフレームに対して物理下りリンク共有チャネル（ＰＤＳＣＨ）が受信されないように設定された場合にのみ行われる、請求項１に記載の方法。
【請求項４】
搬送波集成及び上りリンク−下りリンク設定の再設定を支援する無線通信システムにおいて、集成されたセルの同時送受信を支援しないように構成された端末（ＵＥ）であって、前記ＵＥは、
無線周波数（ＲＦ）ユニットと、
プロセッサと
を含み、
前記プロセッサは、
プライマリーセルの特別サブフレーム及びセカンダリーセルの下りリンクサブフレームに対応する特定の無線リソース上で、前記セカンダリーセルに対する下りリンク制御情報を受信することと、
前記プライマリーセルの上りリンク−下りリンク設定によって前記下りリンク制御情報の有効性を判断することと
を実行するように構成され、
前記下りリンク制御情報は、前記プライマリーセルがノンフォールバックモードにある場合に、有効でないと判断され、前記下りリンク制御情報は、前記プライマリーセルがフォールバックモードによるＴＤＤ（Ｔｉｍｅ  Ｄｉｖｉｓｉｏｎ  Ｄｕｐｌｅｘ）上りリンク−下りリンク設定に対応し、かつ、前記セカンダリーセルが前記プライマリーセルによってクロス−キャリアスケジューリングされる場合に、有効であると判断される、ＵＥ。
【発明の詳細な説明】
【技術分野】
【０００１】
本発明は無線通信システムに関するもので、より詳しくは無線リソースの用途変更を支援する無線通信システムにおける信号の有効性判断方法及びそのための装置に関するものである。
【背景技術】
【０００２】
本発明が適用可能な無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ７及びＲｅｌｅａｓｅ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡ（登録商標）に基づいてＬＴＥまで開発されているが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【０００７】
端末は、基地局の無線通信システムの効率的な運用を補助するために、現在チャネルの状態情報を基地局に周期的及び／又は非周期的に報告する。このように報告されるチャネルの状態情報は、様々な状況を考慮して計算された結果を含み得ることから、より効率的な報告方法が要求されている実情である。
【発明の概要】
【発明が解決しようとする課題】
【０００８】
前述したような論議に基づき、以下では無線リソースの用途変更を支援する無線通信システムにおける信号の有効性判断方法及びそのための装置を提案しようとする。
【０００９】
本発明が達成しようとする技術的課題は前記技術的課題に制限されなく、言及しなかった他の技術的課題は下記の記載から本発明が属する当該技術分野の当業者に明らかに理解可能であろう。
【課題を解決するための手段】
【００１０】
前述した問題点を解決するための本発明の一態様である、搬送波集成（Ｃａｒｒｉｅｒ  ａｇｇｒｅｇａｔｉｏｎ）及び無線リソースの用途変更を支援する無線通信システムにおいて、集成されたセル（ａｇｇｒｅｇａｔｅｄ  ｃｅｌｌｓ）の同時送受信（Ｓｉｍｕｌｔａｎｅｏｕｓ  Ｒｅｃｅｐｔｉｏｎ  ａｎｄ  Ｔｒａｎｓｍｉｓｓｉｏｎ）を支援しない端末の信号受信方法は、プライマリーセル（ｐｒｉｍａｒｙ  ｃｅｌｌ）の特別サブフレーム及びセカンダリーセル（ｓｅｃｏｎｄａｒｙ  ｃｅｌｌ）の下りリンクサブフレームに対応する特定の無線リソース上で、前記セカンダリーセルに対する下りリンク制御情報を受信する段階；及び前記プライマリーセルの上りリンク−下りリンク設定によって前記下りリンク制御情報の有効性を判断する段階を含み、前記下りリンク制御情報は、前記プライマリーセルがノンフォールバックモード（ｎｏｎ−Ｆａｌｌｂａｃｋ  Ｍｏｄｅ）の場合に有効でないと判断され、前記プライマリーセルがフォールバックモード（Ｆａｌｌｂａｃｋ  Ｍｏｄｅ）によるＴＤＤ（Ｔｉｍｅ  Ｄｉｖｉｓｉｏｎ  Ｄｕｐｌｅｘ）上りリンク−下りリンク設定であり、前記セカンダリーセルが前記プライマリーセルによってクロス−キャリアスケジューリングされる場合に有効であると判断されることを特徴とする。
【００１１】
また、前記下りリンク制御情報が有効であると判断される場合、前記特定の無線リソース上で下りリンクデータチャネル（Ｐｈｙｓｉｃａｌ  Ｄｏｗｎｌｉｎｋ  Ｓｈａｒｅｄ  ＣＨａｎｎｅｌ、ＰＤＳＣＨ）を受信する段階をさらに含むことができる。
【００１２】
また、前記有効性を判断する段階は、前記端末に対して前記特別サブフレームと同一の時間区間上の下りリンクサブフレームに対して下りリンクデータチャネル（ＰＤＳＣＨ）を受信しないように設定された場合にのみ行われることを特徴とすることができる。
【００１３】
前述した問題点を解決するための本発明の他の態様である、搬送波集成（Ｃａｒｒｉｅｒ  ａｇｇｒｅｇａｔｉｏｎ）及び無線リソースの用途変更を支援する無線通信システムにおいて、集成されたセル（Ａｇｇｒｅｇａｔｅｄ  Ｃｅｌｌｓ）の同時送受信（Ｓｉｍｕｌｔａｎｅｏｕｓ  Ｒｅｃｅｐｔｉｏｎ  ａｎｄ  Ｔｒａｎｓｍｉｓｓｉｏｎ）を支援しない端末は、無線周波数ユニット；及びプロセッサを含み、前記プロセッサは、プライマリーセル（ｐｒｉｍａｒｙ  ｃｅｌｌ）の特別サブフレーム及びセカンダリーセル（ｓｅｃｏｎｄａｒｙ  ｃｅｌｌ）の下りリンクサブフレームに対応する特定の無線リソース上で、前記セカンダリーセルに対する下りリンク制御情報を受信し、前記プライマリーセルの上りリンク−下りリンク設定によって前記下りリンク制御情報の有効性を判断するように構成され、前記下りリンク制御情報は、前記プライマリーセルがノンフォールバックモード（ｎｏｎ−Ｆａｌｌｂａｃｋ  Ｍｏｄｅ）の場合に有効でないと判断され、前記プライマリーセルがフォールバックモード（Ｆａｌｌｂａｃｋ  Ｍｏｄｅ）によるＴＤＤ（Ｔｉｍｅ  Ｄｉｖｉｓｉｏｎ  Ｄｕｐｌｅｘ）上りリンク−下りリンク設定であり、前記セカンダリーセルが前記プライマリーセルによってクロス−キャリアスケジューリングされる場合に有効であると判断されることを特徴とする。
【００１４】
前述した問題点を解決するための本発明の他の態様である、搬送波集成（Ｃａｒｒｉｅｒ  ａｇｇｒｅｇａｔｉｏｎ）及び無線リソースの用途変更を支援する無線通信システムにおいて、集成されたセル（Ａｇｇｒｅｇａｔｅｄ  Ｃｅｌｌｓ）の同時送受信（Ｓｉｍｕｌｔａｎｅｏｕｓ  Ｒｅｃｅｐｔｉｏｎ  ａｎｄ  Ｔｒａｎｓｍｉｓｓｉｏｎ）を支援しない端末の信号送信方法は、プライマリーセル（ｐｒｉｍａｒｙ  ｃｅｌｌ）の特別サブフレーム及びセカンダリーセル（ｓｅｃｏｎｄａｒｙ  ｃｅｌｌ）の下りリンクサブフレームに対応する特定の無線リソース上の前記セカンダリーセルに対する上りリンク制御情報を受信する段階；及び前記プライマリーセルの上りリンク−下りリンク設定によって前記上りリンク制御情報の有効性を判断する段階を含み、前記上りリンク制御情報は、前記プライマリーセルがノンフォールバックモード（ｎｏｎ−Ｆａｌｌｂａｃｋ  Ｍｏｄｅ）の場合に有効でないと判断され、前記プライマリーセルがフォールバックモード（Ｆａｌｌｂａｃｋ  Ｍｏｄｅ）によるＴＤＤ（Ｔｉｍｅ  Ｄｉｖｉｓｉｏｎ  Ｄｕｐｌｅｘ）上りリンク−下りリンク設定であり、前記特定の無線リソースが無線リソースの用途が固定された場合に有効であると判断されることを特徴とする。
【００１５】
また、前記無線リソースの用途が固定された場合は、下りリンクＨＡＲＱ参照設定、上りリンクＨＡＲＱ参照設定、ＳＩＢに基づく上りリンク−下りリンク設定、上りリンク参照ＨＡＲＱタイムライン、あるいは下りリンク−ＨＡＲＱタイムラインの少なくとも一つの上りリンクサブフレームに対応する場合であることができる。
【００１６】
また、前記上りリンク制御情報が有効であると判断される場合、前記特定の無線リソース上で上りリンクデータチャネル（Ｐｈｙｓｉｃａｌ  Ｕｐｌｉｎｋ  Ｓｈａｒｅｄ  ＣＨａｎｎｅｌ、ＰＵＳＣＨ）を送信する段階をさらに含むことができる。
【００１７】
前述した問題点を解決するための本発明の他の態様である、搬送波集成（Ｃａｒｒｉｅｒ  ａｇｇｒｅｇａｔｉｏｎ）及び無線リソースの用途変更を支援する無線通信システムにおいて、集成されたセル（Ａｇｇｒｅｇａｔｅｄ  Ｃｅｌｌｓ）の同時送受信（Ｓｉｍｕｌｔａｎｅｏｕｓ  Ｒｅｃｅｐｔｉｏｎ  ａｎｄ  Ｔｒａｎｓｍｉｓｓｉｏｎ）を支援しない端末の信号送信方法は、プライマリーセル（ｐｒｉｍａｒｙ  ｃｅｌｌ）の特別サブフレーム及びセカンダリーセル（ｓｅｃｏｎｄａｒｙ  ｃｅｌｌ）の下りリンクサブフレームに対応する特定の無線リソース上の前記セカンダリーセルに対するＳＲＳ（Ｓｏｕｎｄｉｎｇ  Ｒｅｆｅｒｅｎｃｅ  Ｓｉｇｎａｌ）トリガーメッセージを受信する段階；及び前記プライマリーセルの上りリンク−下りリンク設定によって前記ＳＲＳトリガーメッセージの有効性を判断する段階を含み、前記ＳＲＳトリガーメッセージは、前記プライマリーセルがノンフォールバックモード（ｎｏｎ−Ｆａｌｌｂａｃｋ  Ｍｏｄｅ）の場合に有効でないと判断され、前記プライマリーセルがフォールバックモード（Ｆａｌｌｂａｃｋ  Ｍｏｄｅ）によるＴＤＤ（Ｔｉｍｅ  Ｄｉｖｉｓｉｏｎ  Ｄｕｐｌｅｘ）上りリンク−下りリンク設定であり、前記特定の無線リソースが上りリンク用途に固定された場合に有効であると判断されることを特徴とする。
【００１８】
また、前記ＳＲＳトリガーメッセージは、前記特定の無線リソース上で上りリンクデータチャネル（ＰＵＳＣＨ）と前記ＳＲＳが同時にスケジューリングされた場合に有効であると判断されることを特徴とすることができる。
本明細書は、例えば、以下の項目も提供する。
（項目１）
搬送波集成（Ｃａｒｒｉｅｒ  ａｇｇｒｅｇａｔｉｏｎ）及び無線リソースの用途変更を支援する無線通信システムにおいて、集成されたセル（Ａｇｇｒｅｇａｔｅｄ  Ｃｅｌｌｓ）の同時送受信（Ｓｉｍｕｌｔａｎｅｏｕｓ  Ｒｅｃｅｐｔｉｏｎ  ａｎｄ  Ｔｒａｎｓｍｉｓｓｉｏｎ）を支援しない端末の信号受信方法であって、
プライマリーセル（ｐｒｉｍａｒｙ  ｃｅｌｌ）の特別サブフレーム及びセカンダリーセル（ｓｅｃｏｎｄａｒｙ  ｃｅｌｌ）の下りリンクサブフレームに対応する特定の無線リソース上で、前記セカンダリーセルに対する下りリンク制御情報を受信する段階；及び
前記プライマリーセルの上りリンク−下りリンク設定によって前記下りリンク制御情報の有効性を判断する段階を含み、
前記下りリンク制御情報は、
前記プライマリーセルがノンフォールバックモード（ｎｏｎ−Ｆａｌｌｂａｃｋ  Ｍｏｄｅ）の場合に有効でないと判断され、前記プライマリーセルがフォールバックモード（Ｆａｌｌｂａｃｋ  Ｍｏｄｅ）によるＴＤＤ（Ｔｉｍｅ  Ｄｉｖｉｓｉｏｎ  Ｄｕｐｌｅｘ）上りリンク−下りリンク設定であり、前記セカンダリーセルが前記プライマリーセルによってクロス−キャリアスケジューリングされる場合に有効であると判断される、信号受信方法。
（項目２）
前記下りリンク制御情報が有効であると判断される場合、前記特定の無線リソース上で下りリンクデータチャネル（Ｐｈｙｓｉｃａｌ  Ｄｏｗｎｌｉｎｋ  Ｓｈａｒｅｄ  ＣＨａｎｎｅｌ、ＰＤＳＣＨ）を受信する段階をさらに含む、項目１に記載の信号受信方法。
（項目３）
前記有効性を判断する段階は、
前記端末に対して前記特別サブフレームと同一の時間区間上の下りリンクサブフレームに対して下りリンクデータチャネル（ＰＤＳＣＨ）を受信しないように設定された場合にのみ行われることを特徴とする、項目１に記載の信号受信方法。
（項目４）
搬送波集成（Ｃａｒｒｉｅｒ  ａｇｇｒｅｇａｔｉｏｎ）及び無線リソースの用途変更を支援する無線通信システムにおいて、集成されたセル（Ａｇｇｒｅｇａｔｅｄ  Ｃｅｌｌｓ）の同時送受信（Ｓｉｍｕｌｔａｎｅｏｕｓ  Ｒｅｃｅｐｔｉｏｎ  ａｎｄ  Ｔｒａｎｓｍｉｓｓｉｏｎ）を支援しない端末であって、
無線周波数ユニット；及び
プロセッサを含み、
前記プロセッサは、プライマリーセル（ｐｒｉｍａｒｙ  ｃｅｌｌ）の特別サブフレーム及びセカンダリーセル（ｓｅｃｏｎｄａｒｙ  ｃｅｌｌ）の下りリンクサブフレームに対応する特定の無線リソース上で、前記セカンダリーセルに対する下りリンク制御情報を受信し、
前記プライマリーセルの上りリンク−下りリンク設定によって前記下りリンク制御情報の有効性を判断するように構成され、
前記下りリンク制御情報は、
前記プライマリーセルがノンフォールバックモード（ｎｏｎ−Ｆａｌｌｂａｃｋ  Ｍｏｄｅ）の場合に有効でないと判断され、前記プライマリーセルがフォールバックモード（Ｆａｌｌｂａｃｋ  Ｍｏｄｅ）によるＴＤＤ（Ｔｉｍｅ  Ｄｉｖｉｓｉｏｎ  Ｄｕｐｌｅｘ）上りリンク−下りリンク設定であり、前記セカンダリーセルが前記プライマリーセルによってクロス−キャリアスケジューリングされる場合に有効であると判断される、端末。
（項目５）
搬送波集成（Ｃａｒｒｉｅｒ  ａｇｇｒｅｇａｔｉｏｎ）及び無線リソースの用途変更を支援する無線通信システムにおいて、集成されたセル（Ａｇｇｒｅｇａｔｅｄ  Ｃｅｌｌｓ）の同時送受信（Ｓｉｍｕｌｔａｎｅｏｕｓ  Ｒｅｃｅｐｔｉｏｎ  ａｎｄ  Ｔｒａｎｓｍｉｓｓｉｏｎ）を支援しない端末の信号送信方法であって、
プライマリーセル（ｐｒｉｍａｒｙ  ｃｅｌｌ）の特別サブフレーム及びセカンダリーセル（ｓｅｃｏｎｄａｒｙ  ｃｅｌｌ）の下りリンクサブフレームに対応する特定の無線リソース上の前記セカンダリーセルに対する上りリンク制御情報を受信する段階；及び
前記プライマリーセルの上りリンク−下りリンク設定によって前記上りリンク制御情報の有効性を判断する段階を含み、
前記上りリンク制御情報は、
前記プライマリーセルがノンフォールバックモード（ｎｏｎ−Ｆａｌｌｂａｃｋ  Ｍｏｄｅ）の場合に有効でないと判断され、前記プライマリーセルがフォールバックモード（Ｆａｌｌｂａｃｋ  Ｍｏｄｅ）によるＴＤＤ（Ｔｉｍｅ  Ｄｉｖｉｓｉｏｎ  Ｄｕｐｌｅｘ）上りリンク−下りリンク設定であり、前記特定の無線リソースが無線リソースの用途が固定された場合に有効であると判断される、信号送信方法。
（項目６）
前記無線リソースの用途が固定された場合は、
下りリンクＨＡＲＱ参照設定、上りリンクＨＡＲＱ参照設定、ＳＩＢに基づく上りリンク−下りリンク設定、上りリンク参照ＨＡＲＱタイムライン、あるいは下りリンク−ＨＡＲＱタイムラインの少なくとも一つの上りリンクサブフレームに対応する場合である、項目５に記載の信号送信方法。
（項目７）
前記上りリンク制御情報が有効であると判断される場合、前記特定の無線リソース上で上りリンクデータチャネル（Ｐｈｙｓｉｃａｌ  Ｕｐｌｉｎｋ  Ｓｈａｒｅｄ  ＣＨａｎｎｅｌ、ＰＵＳＣＨ）を送信する段階をさらに含む、項目５に記載の信号送信方法。
（項目８）
搬送波集成（Ｃａｒｒｉｅｒ  ａｇｇｒｅｇａｔｉｏｎ）及び無線リソースの用途変更を支援する無線通信システムにおいて、集成されたセル（Ａｇｇｒｅｇａｔｅｄ  Ｃｅｌｌｓ）の同時送受信（Ｓｉｍｕｌｔａｎｅｏｕｓ  Ｒｅｃｅｐｔｉｏｎ  ａｎｄ  Ｔｒａｎｓｍｉｓｓｉｏｎ）を支援しない端末の信号送信方法であって、
プライマリーセル（ｐｒｉｍａｒｙ  ｃｅｌｌ）の特別サブフレーム及びセカンダリーセル（ｓｅｃｏｎｄａｒｙ  ｃｅｌｌ）の下りリンクサブフレームに対応する特定の無線リソース上の前記セカンダリーセルに対するＳＲＳ（Ｓｏｕｎｄｉｎｇ  Ｒｅｆｅｒｅｎｃｅ  Ｓｉｇｎａｌ）トリガーメッセージを受信する段階；及び
前記プライマリーセルの上りリンク−下りリンク設定によって前記ＳＲＳトリガーメッセージの有効性を判断する段階を含み、
前記ＳＲＳトリガーメッセージは、
前記プライマリーセルがノンフォールバックモード（ｎｏｎ−Ｆａｌｌｂａｃｋ  Ｍｏｄｅ）の場合に有効でないと判断され、前記プライマリーセルがフォールバックモード（Ｆａｌｌｂａｃｋ  Ｍｏｄｅ）によるＴＤＤ（Ｔｉｍｅ  Ｄｉｖｉｓｉｏｎ  Ｄｕｐｌｅｘ）上りリンク−下りリンク設定であり、前記特定の無線リソースが上りリンク用途に固定された場合に有効であると判断される、信号送信方法。
（項目９）
前記ＳＲＳトリガーメッセージは、
前記特定の無線リソース上で上りリンクデータチャネル（ＰＵＳＣＨ）と前記ＳＲＳが同時にスケジューリングされた場合に有効であると判断される、項目８に記載の信号送信方法。
【発明の効果】
【００１９】
本発明の実施例によれば、無線リソースの用途変更を支援する無線通信システムにおいて信号の有効性を効率的に判断することができる。
【００２０】
本発明で得られる効果は以上に言及した効果に制限されなく、言及しなかった他の効果は下記の記載から本発明が属する当該技術分野の当業者に明確に理解可能であろう。
【図面の簡単な説明】
【００２１】
本発明に関する理解を助けるために詳細な説明の一部として含まれる、添付図面は本発明の実施例を提供し、詳細な説明とともに本発明の技術的思想を説明する。
【００２２】
【図１】無線通信システムの一例としてＥ−ＵＭＴＳネットワーク構造を概略的に例示する。
【００２３】
【図２】３ＧＰＰ無線接続ネットワーク規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を例示する。
【００２４】
【図３】３ＧＰＰシステムに用いられる物理チャネル及びこれらを用いた一般的な信号送信方法を例示する。
【００２５】
【図４】ＬＴＥシステムに使われる無線フレームの構造を例示する。
【００２６】
【図５】下りリンクスロットに対するリソースグリッド（ｒｅｓｏｕｒｃｅ  ｇｒｉｄ）を例示する。
【００２７】
【図６】下りリンクサブフレームの構造を例示する。
【００２８】
【図７】ＬＴＥで使われる上りリンクサブフレームの構造を例示する。
【００２９】
【図８】キャリア併合（Ｃａｒｒｉｅｒ  Ａｇｇｒｅｇａｔｉｏｎ、ＣＡ）通信システムを例示する。
【００３０】
【図９】複数のキャリアが併合された場合のスケジューリングを例示する。
【００３１】
【図１０】ＥＰＤＣＣＨとＥＰＤＣＣＨによってスケジューリングされるＰＤＳＣＨを例示する図である。
【００３２】
【図１１】ＴＤＤシステム環境下で既存（Ｌｅｇａｃｙ）サブフレームが静的サブフレーム集合と流動サブフレーム集合に分割した場合を示す。
【００３３】
【図１２】本発明の一実施例に適用可能な基地局及び端末を示す。
【発明を実施するための形態】
【００３４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進化したバージョンである。
【００３５】
説明を明確にするために、３ＧＰＰ  ＬＴＥ／ＬＴＥ−Ａを中心に記述するが、本発明の技術的思想がこれに制限されるわけではない。また、以下の説明で使われる特定用語は、本発明の理解を助けるために提供されるものであり、このような特定用語の使用は、本発明の技術的思想から逸脱しない範囲で他の形態に変更することもできる。
【００３６】
図２は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）の構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００３７】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層間にデータが移動する。送信側の物理層と受信側の物理層間は、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３８】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために不要の制御情報を減らすヘッダー圧縮（Ｈｅａｄｅｒ  Ｃｏｍｐｒｅｓｓｉｏｎ）機能を果たす。
【００３９】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層によって提供されるサービスを意味する。そのために、端末とネットワークのＲＲＣ層は互いにＲＲＣメッセージを交換する。端末とネットワークのＲＲＣ層間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００４０】
基地局（ｅＮＢ）を構成する一つのセルは、１．４、３、５、１０、１５、２０ＭＨｚなどの帯域幅のいずれか一つに設定され、複数の端末に下り又は上り送信サービスを提供する。異なったセルは異なった帯域幅を提供するように設定することができる。
【００４１】
ネットワークから端末にデータを送信する下り伝送チャネルは、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルには、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４２】
図３は、３ＧＰＰ  ＬＴＥシステムに用いられる物理チャネル及びそれらを用いた一般的な信号送信方法を説明するための図である。
【００４３】
電源が消えた状態で電源がついたり、新しくセルに進入したりしたユーザ機器は、段階Ｓ３０１で、基地局と同期を取るなどの初期セル探索（Ｉｎｉｔｉａｌ  ｃｅｌｌ  ｓｅａｒｃｈ）作業を行う。そのために、ユーザ機器は基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得する。その後、ユーザ機器は、基地局から物理放送チャネル（Ｐｈｙｓｉｃａｌ  Ｂｒｏａｄｃａｓｔ  Ｃｈａｎｎｅｌ）を受信してセル内放送情報を取得することができる。一方、ユーザ機器は、初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００４４】
初期セル探索を終えたユーザ機器は、段階Ｓ３０２で、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）、及び物理下りリンク制御チャネル情報に基づく物理下りリンク共有チャネル（Ｐｈｙｓｉｃａｌ  Ｄｏｗｎｌｉｎｋ  Ｃｏｎｔｒｏｌ  Ｃｈａｎｎｅｌ、ＰＤＳＣＨ）を受信し、より具体的なシステム情報を取得することができる。
【００４５】
その後、ユーザ機器は、基地局への接続を完了するために、段階Ｓ３０３乃至段階Ｓ３０６のようなランダムアクセス手順（Ｒａｎｄｏｍ  Ａｃｃｅｓｓ  Ｐｒｏｃｅｄｕｒｅ）を行うことができる。そのために、ユーザ機器は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介してプリアンブル（ｐｒｅａｍｂｌｅ）を送信し（Ｓ３０３）、物理下りリンク制御チャネル及びこれに対応する物理下りリンク共有チャネルを介して、プリアンブルに対する応答メッセージを受信することができる（Ｓ３０４）。競合ベースランダムアクセスの場合、更なる物理ランダムアクセスチャネルの送信（Ｓ３０５）、及び物理下りリンク制御チャネル及びこれに対応する物理下りリンク共有チャネルの受信（Ｓ３０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００４６】
上述したような手順を行ったユーザ機器は、その後、一般的な上りリンク／下りリンク信号送信手順として、物理下りリンク制御チャネル／物理下りリンク共有チャネルの受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）の送信（Ｓ３０８）を行うことができる。ユーザ機器が基地局に送信する制御情報を総称して上りリンク制御情報（Ｕｐｌｉｎｋ  Ｃｏｎｔｒｏｌ  Ｉｎｆｏｒｍａｔｉｏｎ、ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＳＩ（Ｃｈａｎｎｅｌ  Ｓｔａｔｅ  Ｉｎｆｏｒｍａｔｉｏｎ）などを含む。本明細書で、ＨＡＲＱ  ＡＣＫ／ＮＡＣＫは簡単に、ＨＡＲＱ−ＡＣＫあるいはＡＣＫ／ＮＡＣＫ（Ａ／Ｎ）と呼ぶ。ＨＡＲＱ−ＡＣＫは、ポジティブＡＣＫ（簡単に、ＡＣＫ）、ネガティブＡＣＫ（ＮＡＣＫ）、ＤＴＸ及びＮＡＣＫ／ＤＴＸのうち少なくとも一つを含む。ＣＳＩは、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。ＵＣＩは、一般にはＰＵＣＣＨを介して送信されるが、制御情報とトラフィックデータとが同時に送信されるべき場合にはＰＵＳＣＨを介して送信されてもよい。また、ネットワークの要請／指示に応じて、ＰＵＳＣＨを介してＵＣＩを非周期的に送信することもできる。
【００４７】
図４は、ＬＴＥシステムで用いられる無線フレームの構造を例示する図である。
【００４８】
図４を参照すると、セルラーＯＦＤＭ無線パケット通信システムにおいて、上りリンク／下りリンクデータパケット送信はサブフレーム（ｓｕｂｆｒａｍｅ）単位になされ、１サブフレームは、複数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００４９】
図４の（ａ）は、タイプ１無線フレームの構造を例示する。下りリンク無線フレーム（ｒａｄｉｏ  ｆｒａｍｅ）は、１０個のサブフレーム（ｓｕｂｆｒａｍｅ）で構成され、１サブフレームは、時間領域（ｔｉｍｅ  ｄｏｍａｉｎ）で２個のスロット（ｓｌｏｔ）で構成される。１サブフレーム）を送信するためにかかる時間をＴＴＩ（ｔｒａｎｓｍｉｓｓｉｏｎ  ｔｉｍｅ  ｉｎｔｅｒｖａｌ）という。例えば、１サブフレームの長さを１ｍｓ、１スロットの長さを０．５ｍｓとすることができる。１スロットは時間領域で複数のＯＦＤＭシンボルを含み、周波数領域で複数のリソースブロック（Ｒｅｓｏｕｒｃｅ  Ｂｌｏｃｋ；ＲＢ）を含む。３ＧＰＰ  ＬＴＥシステムでは下りリンクでＯＦＤＭＡが用いられるため、ＯＦＤＭシンボルが１シンボル区間を表す。ＯＦＤＭシンボルは、ＳＣ−ＦＤＭＡシンボル又はシンボル区間と呼ぶこともできる。リソース割当て単位としてのリソースブロック（ＲＢ）は、１スロットで複数個の連続した副搬送波（ｓｕｂｃａｒｒｉｅｒ）を含むことができる。
【００５０】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって可変することができる。ＣＰには、拡張されたＣＰ（ｅｘｔｅｎｄｅｄ  ＣＰ）と標準ＣＰ（ｎｏｒｍａｌ  ＣＰ）がある。例えば、ＯＦＤＭシンボルが標準ＣＰによって構成された場合、１スロットに含まれるＯＦＤＭシンボルの数は７個であってよい。ＯＦＤＭシンボルが拡張されたＣＰによって構成された場合、１  ＯＦＤＭシンボルの長さが増加することから、１スロットに含まれるＯＦＤＭシンボルの数は、標準ＣＰの場合に比べて少ない。拡張されたＣＰの場合、例えば、１スロットに含まれるＯＦＤＭシンボルの数は６個であってもよい。ユーザ機器が速い速度で移動するなどしてチャネル状態が不安定な場合、シンボル間干渉をより減らすために、拡張されたＣＰを用いることができる。
【００５１】
標準ＣＰが用いられる場合、１スロットは７  ＯＦＤＭシンボルを含むため、１サブフレームは１４  ＯＦＤＭシンボルを含む。このとき、各サブフレームの先頭における最大３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てることができる。
【００５２】
図４の（ｂ）は、タイプ２無線フレームの構造を例示する。タイプ２無線フレームは、２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  Ｔｉｍｅ  Ｓｌｏｔ）を含む特別サブフレーム（ｓｐｅｃｉａｌ  ｓｕｂｆｒａｍｅ）とで構成される。
【００５３】
特別サブフレームにおいて、ＤｗＰＴＳは、ユーザ機器における初期セル探索、同期化又はチャネル推定に用いられる。ＵｐＰＴＳは、基地局におけるチャネル推定とユーザ機器の上りリンク送信同期の獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳ送信のために用いられる。また、保護区間は、上りリンクと下りリンクの間に下りリンク信号の多重経路遅延によって上りリンクで生じる干渉を除去するための区間である。
【００５４】
上記の特別サブフレームに関して現在３ＧＰＰ標準文書では下記の表１のように設定を定義している。表１で、
【化１】
0006360202.tif 000002
の場合に、ＤｗＰＴＳとＵｐＰＴＳを示しており、残りの領域が保護区間として設定される。
【００５５】
【表１】
0006360202.tif 000003
【００５６】
一方、タイプ２無線フレームの構造、すなわち、ＴＤＤシステムにおいて上りリンク／下りリンクサブフレーム設定（ＵＬ／ＤＬ  ｃｏｎｆｉｇｕｒａｔｉｏｎ）は、下記の表２のとおりである。
【００５７】
【表２】
0006360202.tif 000004
【００５８】
上記の表２で、Ｄは下りリンクサブフレーム、Ｕは上りリンクサブフレームを表し、Ｓは特別サブフレームを意味する。また、上記の表２では、それぞれの上りリンク／下りリンクサブフレーム設定において下りリンク−上りリンクスイッチング周期も表している。
【００５９】
上述した無線フレームの構造は例示に過ぎず、無線フレームに含まれるサブフレームの数、サブフレームに含まれるスロットの数、又はスロットに含まれるシンボルの数は様々に変更されてもよい。
【００６０】
図５は、下りリンクスロットのリソースグリッド（ｒｅｓｏｕｒｃｅ  ｇｒｉｄ）を例示する。
【００６１】
図５を参照すると、下りリンクスロットは、時間領域で
【化２】
0006360202.tif 000005
ＯＦＤＭシンボルを含み、周波数領域で
【化３】
0006360202.tif 000006
リソースブロックを含む。それぞれのリソースブロックが
【化４】
0006360202.tif 000007
副搬送波を含むので、下りリンクスロットは、周波数領域で
【化５】
0006360202.tif 000008
副搬送波を含む。図５は、下りリンクスロットが７  ＯＦＤＭシンボルを含み、リソースブロックが１２副搬送波を含むと例示しているが、必ずしもこれに制限されない。例えば、下りリンクスロットに含まれるＯＦＤＭシンボルの個数はサイクリックプレフィックス（Ｃｙｃｌｉｃ  Ｐｒｅｆｉｘ；ＣＰ）の長さによって変形されてもよい。
【００６２】
リソースグリッド上の各要素をリソース要素（Ｒｅｓｏｕｒｃｅ  Ｅｌｅｍｅｎｔ；ＲＥ）といい、１つのリソース要素は、１つのＯＦＤＭシンボルインデックス及び１つの副搬送波インデックスで示される。１つのＲＢは、
【化６】
0006360202.tif 000009
リソース要素で構成されている。下りリンクスロットに含まれるリソースブロックの数
【化７】
0006360202.tif 000010
は、セルで設定される下りリンク送信帯域幅（ｂａｎｄｗｉｄｔｈ）に従属する。
【００６３】
図６は、下りリンクサブフレームの構造を例示する。
【００６４】
図６を参照すると、サブフレームの第１スロットにおいて先頭における最大３（４）個のＯＦＤＭシンボルは、制御チャネルが割り当てられる制御領域に対応する。残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域に該当する。ＬＴＥで用いられる下りリンク制御チャネルの例は、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  ｈｙｂｒｉｄ  ＡＲＱ  ｉｎｄｉｃａｔｏｒ  Ｃｈａｎｎｅｌ）などを含む。ＰＣＦＩＣＨは、サブフレームの最初のＯＦＤＭシンボルで送信され、サブフレーム内で制御チャネルの送信に用いられるＯＦＤＭシンボルの個数に関する情報を運ぶ。ＰＨＩＣＨは、上りリンク送信に対する応答としてＨＡＲＱ  ＡＣＫ／ＮＡＣＫ（Ｈｙｂｒｉｄ  Ａｕｔｏｍａｔｉｃ  Ｒｅｐｅａｔ  ｒｅｑｕｅｓｔ  ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００６５】
ＰＤＣＣＨを介して送信される制御情報をＤＣＩ（Ｄｏｗｎｌｉｎｋ  Ｃｏｎｔｒｏｌ  Ｉｎｆｏｒｍａｔｉｏｎ）と称する。ＤＣＩは、ユーザ機器又はユーザ機器グループのためのリソース割当て情報及び他の制御情報を含む。例えば、ＤＣＩは、上りリンク／下りリンクスケジューリング情報、上りリンク送信（Ｔｘ）電力制御命令などを含む。
【００６６】
ＰＤＣＣＨは、下りリンク共有チャネル（ｄｏｗｎｌｉｎｋ  ｓｈａｒｅｄ  ｃｈａｎｎｅｌ、ＤＬ−ＳＣＨ）の送信フォーマット及びリソース割当て情報、上りリンク共有チャネル（ｕｐｌｉｎｋ  ｓｈａｒｅｄ  ｃｈａｎｎｅｌ、ＵＬ−ＳＣＨ）の送信フォーマット及びリソース割当て情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層制御メッセージのリソース割当て情報、ユーザ機器グループ内の個別ユーザ機器に対する送信電力制御命令セット、送信電力制御命令、ＶｏＩＰ（Ｖｏｉｃｅ  ｏｖｅｒ  ＩＰ）の活性化指示情報などを運ぶ。複数のＰＤＣＣＨが制御領域内で送信されてもよく、ユーザ機器は、複数のＰＤＣＣＨをモニタすることができる。ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集合（ａｇｇｒｅｇａｔｉｏｎ）上で送信される。ＣＣＥは、ＰＤＣＣＨに無線チャネル状態に基づくコーディングレートを提供するために用いられる論理的割当てユニットである。ＣＣＥは、複数のリソース要素グループ（ｒｅｓｏｕｒｃｅ  ｅｌｅｍｅｎｔ  ｇｒｏｕｐ、ＲＥＧ）に対応する。ＰＤＣＣＨのフォーマット及びＰＤＣＣＨビットの個数はＣＣＥの個数によって決定される。基地局は、ユーザ機器に送信されるＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付加する。ＣＲＣは、ＰＤＣＣＨの所有者又は使用目的によって識別子（例、ＲＮＴＩ（ｒａｄｉｏ  ｎｅｔｗｏｒｋ  ｔｅｍｐｏｒａｒｙ  ｉｄｅｎｔｉｆｉｅｒ））でマスクする。例えば、ＰＤＣＣＨが特定ユーザ機器のためのものであれば、該当のユーザ機器の識別子（例、ｃｅｌｌ−ＲＮＴＩ（Ｃ−ＲＮＴＩ））をＣＲＣにマスクすることができる。ＰＤＣＣＨがページングメッセージのためのものであれば、ページング識別子（例、ｐａｇｉｎｇ−ＲＮＴＩ（Ｐ−ＲＮＴＩ））をＣＲＣにマスクすることができる。ＰＤＣＣＨがシステム情報（より具体的に、システム情報ブロック（ｓｙｓｔｅｍ  Ｉｎｆｏｒｍａｔｉｏｎ  ｂｌｏｃｋ、ＳＩＢ））のためのものであれば、ＳＩ−ＲＮＴＩ（ｓｙｓｔｅｍ  Ｉｎｆｏｒｍａｔｉｏｎ  ＲＮＴＩ）をＣＲＣにマスクすることができる。ＰＤＣＣＨがランダムアクセス応答のためのものであれば、ＲＡ−ＲＮＴＩ（ｒａｎｄｏｍ  ａｃｃｅｓｓ−ＲＮＴＩ）をＣＲＣにマスクすることができる。
【００６７】
図７はＬＴＥで使われる上りリンクサブフレームの構造を例示する。
【００６８】
図７を参照すると、上りリンクサブフレームは複数（例えば、２個）のスロットを含む。スロットはＣＰの長さによって互いに異なる数のＳＣ−ＦＤＭＡシンボルを含むことができる。上りリンクサブフレームは周波数領域でデータ領域と制御領域に区分される。データ領域はＰＵＳＣＨを含み、音声などのデータ信号を送信するのに使われる。制御領域はＰＵＣＣＨを含み、上りリンク制御情報（Ｕｐｌｉｎｋ  Ｃｏｎｔｒｏｌ  Ｉｎｆｏｒｍａｔｉｏｎ、ＵＣＩ）を送信するのに使われる。ＰＵＣＣＨは周波数軸においてデータ領域の両端部分に位置するＲＢ対（ＲＢ  ｐａｉｒ）を含み、スロットを境界としてホッピングする。
【００６９】
ＰＵＣＣＨは次の制御情報を送信するのに使われることができる。
【００７０】
−ＳＲ（Ｓｃｈｅｄｕｌｉｎｇ  Ｒｅｑｕｅｓｔ）：上りリンクＵＬ−ＳＣＨリソースを要請するのに使われる情報である。ＯＯＫ（Ｏｎ−Ｏｆｆ  Ｋｅｙｉｎｇ）方式で送信される。
【００７１】
−ＨＡＲＱ  ＡＣＫ／ＮＡＣＫ：ＰＤＳＣＨ上の下りリンクデータパケットに対する応答信号である。下りリンクデータパケットが成功的に受信されたかを示す。単一下りリンクコードワードに応えてＡＣＫ／ＮＡＣＫ１ビットが送信され、二つの下りリンクコードワードに応えてＡＣＫ／ＮＡＣＫ２ビットが送信される。
【００７２】
−ＣＳＩ（Ｃｈａｎｎｅｌ  Ｓｔａｔｅ  Ｉｎｆｏｒｍａｔｉｏｎ）：下りリンクチャネルに対するフィードバック情報である。ＣＳＩはＣＱＩ（Ｃｈａｎｎｅｌ  Ｑｕａｌｉｔｙ  Ｉｎｄｉｃａｔｏｒ）を含み、ＭＩＭＯ（Ｍｕｌｔｉｐｌｅ  Ｉｎｐｕｔ  Ｍｕｌｔｉｐｌｅ  Ｏｕｔｐｕｔ）関連フィードバック情報はＲＩ（Ｒａｎｋ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｉｎｇ  Ｔｙｐｅ  Ｉｎｄｉｃａｔｏｒ）などを含む。サブフレーム当たり２０ビットが使われる。
【００７３】
使用者機器がサブフレームで送信することができる制御情報（ＵＣＩ）の量は制御情報伝送に使用可能なＳＣ−ＦＤＭＡの個数による。制御情報伝送に使用可能なＳＣ−ＦＤＭＡはサブフレームで参照信号伝送のためのＳＣ−ＦＤＭＡシンボルを除いた残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が設定されたサブフレームの場合、サブフレームの最後のＳＣ−ＦＤＭＡシンボルも除かれる。参照信号はＰＵＣＣＨのコヒーレント検出に使われる。
【００７４】
図８はキャリア併合（Ｃａｒｒｉｅｒ  ａｇｇｒｅｇａｔｉｏｎ、ＣＡ）通信システムを例示する。
【００７５】
図８を参照すると、複数の上／下りリンクコンポーネント搬送波（Ｃｏｍｐｏｎｅｎｔ  Ｃａｒｒｉｅｒ、ＣＣ）を集めてもっと広い上／下りリンク帯域幅を支援することができる。用語（“コンポーネント搬送波（ＣＣ）”は等価の他の用語（例えば、キャリア、セルなど）に取り替えられることができる。それぞれのＣＣは周波数領域で互いに隣接するか隣接しないことができる。それぞれのコンポーネント搬送波の帯域幅は独立的に決定されることができる。ＵＬ  ＣＣの個数とＤＬ  ＣＣの個数が違う非対称搬送波集成も可能である。一方、制御情報は特定のＣＣを介してのみ送受信できるように設定することができる。このような特定のＣＣをプライマリーＣＣ（又はアンカーＣＣ）と呼び、残りＣＣをセカンダリーＣＣと呼ぶことができる。
【００７６】
クロス−キャリアスケジューリング（又はクロス−ＣＣスケジューリング）が適用される場合、下りリンク割当てのためのＰＤＣＣＨはＤＬ  ＣＣ＃０に送信され、該当のＰＤＳＣＨはＤＬ  ＣＣ＃２に送信されることができる。クロス−ＣＣスケジューリングのために、キャリア指示フィールド（ｃａｒｒｉｅｒ  ｉｎｄｉｃａｔｏｒ  ｆｉｅｌｄ、ＣＩＦ）の導入が考慮されることができる。ＰＤＣＣＨ内でＣＩＦの存在有無は上位階層シグナリング（例えば、ＲＲＣシグナリング）によって半静的及び端末特定（又は端末グループ特定）方式で設定することができる。ＰＤＣＣＨ伝送ベースラインを要約すると次のようである。
【００７７】
■ＣＩＦディセイブルド（ｄｉｓａｂｌｅｄ）：ＤＬ  ＣＣ上のＰＤＣＣＨは同じＤＬ  ＣＣ上のＰＤＳＣＨリソースを割り当てるかあるいは一つのリンクされたＵＬ  ＣＣ上のＰＵＳＣＨリソースを割り当てる
【００７８】
●Ｎｏ  ＣＩＦ
【００７９】
●ＬＴＥ  ＰＤＣＣＨ構造（同一符号化、同一ＣＣＥに基づくリソースマッピング）及びＤＣＩフォーマットと同一
【００８０】
■ＣＩＦイネイブルド（ｅｎａｂｌｅｄ）：ＤＬ  ＣＣ上のＰＤＣＣＨはＣＩＦを用いて複数の併合されたＤＬ／ＵＬ  ＣＣの中で特定のＤＬ／ＵＬ  ＣＣ上のＰＤＳＣＨ又はＰＵＳＣＨリソースを割り当てることができる
【００８１】
●ＣＩＦを有する拡張されたＬＴＥ  ＤＣＩフォーマット
【００８２】
−ＣＩＦ（設定される場合）は固定されたｘ−ビットフィールド（例えば、ｘ＝３）
【００８３】
−ＣＩＦ（設定される場合）位置はＤＣＩフォーマットサイズに関係なく固定される
【００８４】
●ＬＴＥ  ＰＤＣＣＨ構造を再使用（同一符号化、同一ＣＣＥに基づくリソースマッピング）
【００８５】
ＣＩＦが存在する場合、基地局は端末側のＢＤ複雑度を低めるためにＰＤＣＣＨモニタリングＤＬ  ＣＣセットを割り当てることができる。ＰＤＣＣＨモニタリングＤＬ  ＣＣセットは併合された全体ＤＬ  ＣＣの一部として一つ以上のＤＬ  ＣＣを含み、端末は該当のＤＬ  ＣＣ上でのみＰＤＣＣＨの検出／復号化を行う。すなわち、基地局が端末にＰＤＳＣＨ／ＰＵＳＣＨをスケジューリングする場合、ＰＤＣＣＨはＰＤＣＣＨモニタリングＤＬ  ＣＣセットを介してのみ送信される。ＰＤＣＣＨモニタリングＤＬ  ＣＣセットは端末特定（ＵＥ−ｓｐｅｃｉｆｉｃ）、端末グループ特定又はセル特定（ｃｅｌｌ−ｓｐｅｃｉｆｉｃ）方式で設定することができる。用語“ＰＤＣＣＨモニタリングＤＬ  ＣＣ”はモニタリングキャリア、モニタリングセルなどの等価の用語に取り替えられることができる。また、端末のために併合されたＣＣはサービングＣＣ、サービングキャリア、サービングセルなどの等価の用語に取り替えられることができる。
【００８６】
図９は複数のキャリアが併合された場合のスケジューリングを例示する。３個のＤＬ  ＣＣが併合されたと仮定する。ＤＬ  ＣＣ  ＡがＰＤＣＣＨモニタリングＤＬ  ＣＣに設定されたと仮定する。ＤＬ  ＣＣ  Ａ〜ＣはサービングＣＣ、サービングキャリア、サービングセルなどと呼ぶことができる。ＣＩＦがディセイブルされた場合、それぞれのＤＬ  ＣＣはＬＴＥ  ＰＤＣＣＨ設定によってＣＩＦなしに自分のＰＤＳＣＨをスケジューリングするＰＤＣＣＨのみを送信することができる。一方、端末特定（又は端末グループ特定又はセル特定）上位階層シグナリングによってＣＩＦがイネイブルされた場合、ＤＬ  ＣＣ  Ａ（モニタリングＤＬ  ＣＣ）はＣＩＦを用いてＤＬ  ＣＣ  ＡのＰＤＳＣＨをスケジューリングするＰＤＣＣＨだけでなく、他のＣＣのＰＤＳＣＨをスケジューリングするＰＤＣＣＨも送信することができる。この場合、ＰＤＣＣＨモニタリングＤＬ  ＣＣに設定されないＤＬ  ＣＣ  Ｂ／ＣではＰＤＣＣＨが送信されない。よって、ＤＬ  ＣＣ  Ａ（モニタリングＤＬ  ＣＣ）はＤＬ  ＣＣ  Ａに関連したＰＤＣＣＨ検索領域、ＤＬ  ＣＣ  Ｂに関連したＰＤＣＣＨ検索領域及びＤＬ  ＣＣ  Ｃに関連したＰＤＣＣＨ検索領域を全て含まなければならない。本明細書で、ＰＤＣＣＨ検索領域はキャリア別に定義されると仮定する。
【００８７】
前述したように、ＬＴＥ−Ａはクロス−ＣＣスケジューリングのためにＰＤＣＣＨ内でＣＩＦの使用を考慮している。ＣＩＦの使用可否（つまり、クロス−ＣＣスケジューリングモード又はノンクロス−ＣＣスケジューリングモードの支援）及びモード間の転換はＲＲＣシグナリングによって半静的／端末特定に設定されることができ、該当のＲＲＣシグナリング過程を経た後、端末は自分にスケジューリングされるＰＤＣＣＨ内にＣＩＦが使われるか否かを認識することができる。
【００８８】
図１０はＥＰＤＣＣＨとＥＰＤＣＣＨによってスケジューリングされるＰＤＳＣＨを例示する図である。
【００８９】
図１０を参照すると、ＥＰＤＣＣＨは一般的にデータを送信するＰＤＳＣＨ領域の一部分を定義して使うことができ、端末は自分のＥＰＤＣＣＨ有無を検出するためのブラインドデコーディング（ｂｌｉｎｄ  ｄｅｃｏｄｉｎｇ）過程を行わなければならない。ＥＰＤＣＣＨは既存のレガシーＰＤＣＣＨと同一のスケジューリング動作（つまり、ＰＤＳＣＨ、ＰＵＳＣＨ制御）を行うが、ＲＲＨのようなノードに接続した端末の個数が増加すればＰＤＳＣＨ領域内により多い数のＥＰＤＣＣＨが割り当てられ、端末が行われなければならないブラインドデコーディングの回数が増加して複雑度が高くなることができる欠点は存在することができる。
【００９０】
図１１はＴＤＤシステム環境下で既存（Ｌｅｇａｃｙ）サブフレームを静的サブフレーム集合と流動サブフレーム集合に分割した場合を示す。図８で、ＳＩＢ（Ｓｙｓｔｅｍ  Ｉｎｆｏｒｍａｔｉｏｎ  Ｂｌｏｃｋ）シグナルによって設定された既存上りリンク−下りリンク設定を上りリンク−下りリンク設定＃１（つまり、ＤＳＵＵＤＤＳＵＵＤ）と仮定し、基地局は端末に前もって定義されたシグナルによって無線リソースの用途の再設定情報を知らせると仮定した。
【００９１】
無線リソース用途変更メッセージ（Ｒｅｃｏｎｆｉｇｕｒａｔｉｏｎ  Ｍｅｓｓａｇｅ）は前もって定義された規則によって、ｉ）該当の用途変更メッセージ受信時点を含んで以後に現れるか、ｉｉ）あるいは該当の用途変更メッセージ受信時点を含まずに以後、ｉｉｉ）あるいは該当の用途変更メッセージ受信時点から前もって定義された時間（つまり、サブフレームオフセット（Ｓｕｂｆｒａｍｅ  Ｏｆｆｓｅｔ）以後）に現れる無線リソースの用途を知らせる目的で用いられる。
【００９２】
したがって、システムの安定的な下りリンク／上りリンク通信、端末の安定的なチャネル状態情報（Ｃｈａｎｎｅｌ  Ｓｔａｔｅ  Ｉｎｆｏｒｍａｔｉｏｎ；ＣＳＩ）の導出及び報告のために高い成功確率（Ｈｉｇｈ  Ｓｕｃｃｅｓｓ  Ｐｒｏｂａｂｉｌｉｔｙ）の用途変更メッセージ送／受信方法あるいは特定の端末が用途変更メッセージを成功的に受信することができなかった場合に該当の端末が仮定することになる上りリンク−下りリンク設定（ＵＬ−ＤＬ  Ｃｏｎｆｉｇｕｒａｔｉｏｎ）（つまり、上りリンク−下りリンク設定に対するフォールバック（Ｆａｌｌｂａｃｋ）動作）などが定義される必要性がある。ここで、端末が用途変更メッセージを成功的に受信することができなかった状況は、例えば端末が受信された用途変更メッセージに対するＣＲＣ（Ｃｙｃｌｉｃ  Ｒｅｄｕｎｄａｎｃｙ  Ｃｈｅｃｋ）を行った場合に虚偽（Ｆａｌｓｅ）と判明された場合、あるいは端末が用途変更メッセージを漏らした（Ｍｉｓｓｉｎｇ）場合（例えば、ＤＲＸ動作によって端末が用途変更メッセージを漏らした場合）などがあり得る。
【００９３】
前述した内容に基づき、本発明では、搬送波集成技法（Ｃａｒｒｉｅｒ  ａｇｇｒｅｇａｔｉｏｎ、ＣＡ）が適用された状況下で、特定のセル上の無線リソース用途が負荷状態によって動的に変更（以下、ｅＩＭＴＡ  Ｃｅｌｌ）される場合、下りリンク（Ｄｏｗｎｌｉｎｋ、ＤＬ）／上りリンク（Ｕｐｌｉｎｋ、ＵＬ）シグナル伝送の有効性（Ｖａｌｉｄａｔｉｏｎ）を効率的に判断する方法を提案する。ここで、用途変更メッセージ（Ｒｅｃｏｎｆｉｇｕｒａｔｉｏｎ  Ｍｅｓｓａｇｅ）は前もって定義されたセル（例えば、Ｐｒｉｍａｒｙ  Ｃｅｌｌ、ＰＣｅｌｌ）上で上位階層シグナル形態（例えば、ＳＩＢ／ＰＢＣＨ／ＭＡＣ／ＲＲＣ）あるいは物理階層シグナル形態（例えば、ＰＤＣＣＨ／ＥＰＤＣＣＨ／ＰＤＳＣＨ）で送信されることができ、また該当の用途変更メッセージは端末特定的な（ＵＥ−Ｓｐｅｃｉｆｉｃ）特性あるいはセル特定的な（Ｃｅｌｌ−Ｓｐｅｃｉｆｉｃ）特性あるいは端末グループ特定的な（ＵＥ−Ｇｒｏｕｐ−Ｓｐｅｃｉｆｉｃ）特性あるいは端末グループ共通（ＵＥ−Ｇｒｏｕｐ−Ｃｏｍｍｏｎ）特性を有することができる。さらに、用途変更メッセージは前もって定義されたセル（例えば、ＰＣｅｌｌ）上でＵＳＳ（ＵＥ−Ｓｐｅｃｉｆｉｃ  Ｓｅａｒｃｈ  Ｓｐａｃｅ）あるいはＣＳＳ（Ｃｏｍｍｏｎ  Ｓｅａｒｃｈ  Ｓｐａｃｅ）を介して送信されることができる。
【００９４】
以下では、説明の便宜のために、３ＧＰＰ  ＬＴＥシステムに基づいて本発明を説明する。しかし、本発明が適用されるシステムの範囲は３ＧＰＰ  ＬＴＥシステムの外に他のシステムにも拡張可能である。
【００９５】
端末が無線リソース用途の動的変更が適用されるセル（例えば、ＴＤＤ  ｅＩＭＴＡ  Ｃｅｌｌ）関連用途変更メッセージ（Ｒｅｃｏｎｆｉｇｕｒａｔｉｏｎ  Ｍｅｓｓａｇｅ）を成功的に受信することができなかったとき、ＳＩＢ１上の上りリンク−下りリンク設定（ＵＬ−ＤＬ  Ｃｏｎｆｉｇｕｒａｔｉｏｎ）に基づき、ｉ）チャネル測定（ＣＳＩ  Ｍｅａｓｕｒｅｍｅｎｔ）動作、ｉｉ）下りリンク制御チャネル（ＰＤＣＣＨ）モニタリング動作、ｉｉｉ）下りリンクデータチャネル（ＰＤＳＣＨ）受信動作、ｉｖ）上りリンクデータチャネル（ＰＵＳＣＨ）伝送動作の少なくとも一つが行われるように設定することができる。
【００９６】
ここで、チャネル測定動作は、端末が再設定（ｒｅｃｏｎｆｉｇｕｒａｔｉｏｎ）のための明示的なＬ１シグナリングをデコードし、有効な（ｖａｌｉｄ）上りリンク−下りリンク設定を検出した場合、端末は再設定のための明示的なＬ１シグナリングによって下りリンクサブフレームあるいは特別サブフレームに指示されたサブフレーム内でのみＣＳＩを測定する。端末が無線フレームに対して有効な上りリンク−下りリンク設定を伝達するＬ１シグナリングを検出することができなかった場合、端末はＳＩＢ設定によって下りリンクサブフレームあるいは特別サブフレームに指示されたサブフレーム内でのみＣＳＩを測定することができる。
【００９７】
また、ＰＤＣＣＨあるいはＰＤＳＣＨ受信動作について説明すれば、端末が無線フレームに対して有効な上りリンク−下りリンク設定を伝達するＬ１シグナリングを検出した場合、端末は明示的なＬ１シグナリングによって指示されたｎｏｎ−ＤＲＸ下りリンクサブフレームあるいは特別サブフレームをモニターする。端末が無線フレームに対して有効な上りリンク−下りリンク設定を伝達するＬ１シグナリングを検出することができなかった場合、端末はＳＩＢ−１設定によって指示されたＰＤＣＣＨあるいはＥＰＤＣＣＨのためのｎｏｎ−ＤＲＸ下りリンクサブフレームあるいは特別サブフレームをモニターする。
【００９８】
ここで、有効な上りリンク−下りリンク設定を説明すれば、下りリンクＨＡＲＱ参照設定はＲｅｌ−８  ＴＤＤ上りリンク−下りリンク設定｛２、４、５｝で選択されることができる。ＴＤＤ  ｅＩＭＴＡ（Ｆｕｒｔｈｅｒ  Ｅｎｈａｎｃｅｍｅｎｔｓ  ｔｏ  ＬＴＥ  Ｔｉｍｅ  Ｄｉｖｉｓｉｏｎ  Ｄｕｐｌｅｘ（ＴＤＤ）  ｆｏｒ  Ｄｏｗｎｌｉｎｋ−Ｕｐｌｉｎｋ  Ｉｎｔｅｒｆｅｒｅｎｃｅ  Ｍａｎａｇｅｍｅｎｔ  ａｎｄ  Ｔｒａｆｆｉｃ  Ａｄａｐｔａｔｉｏｎ）が設定された端末に対し、上りリンクスケジューリングタイミング及びＨＡＲＱタイミングはＳＩＢ１によってシグナリングされた上りリンク−下りリンク設定による。端末は、有効な上りリンクＨＡＲＱ参照設定あるいは下りリンクＨＡＲＱ参照設定下で、下りリンクＨＡＲＱ参照設定上の上りリンクサブフレームあるいは特別サブフレームは、下りリンクサブフレームに動的に使われないものと見なすか、上りリンクＨＡＲＱ参照設定上の下りリンクサブフレームあるいは特別サブフレームは、上りリンクサブフレームに動的に使われないものと見なすことができる。
【００９９】
また、上りリンクグラント有効性判断（ＵＬ  Ｇｒａｎｔ  ｖａｌｉｄａｔｉｏｎ）について説明する。フォールバックモードの下で、下りリンクＨＡＲＱ参照設定（ＤＬ  ＨＡＲＱ  ｒｅｆｅｒｅｎｃｅ  ｃｏｎｆｉｇｕｒａｔｉｏｎ）別の上りリンクサブフレームの集合に含まれずに、ＳＩＢ１別の少なくとも一つの上りリンクサブフレームに対応する上りリンクグラントを端末が受信した場合、端末はこれを有効な制御情報（ｖａｌｉｄ  ｇｒａｎｔ）と判断することができる。しかし、下りリンクＨＡＲＱ参照設定（ＤＬ  ＨＡＲＱ  ｒｅｆｅｒｅｎｃｅ  ｃｏｎｆｉｇｕｒａｔｉｏｎ）別の上りリンクサブフレームの集合に含まれずに、ＳＩＢ１別の上りリンクサブフレーム内のＰＵＳＣＨ伝送をトリガーするＰＨＩＣＨ上でＮＡＣＫを受信すれば、端末はＰＵＳＣＨを送信する。また、ＳＲＳ伝送有効性判断（ＳＲＳ  ｔｒａｎｓｍｉｓｓｉｏｎ  ｖａｌｉｄａｔｉｏｎ）について説明する。タイプ１  ＳＲＳに対し、トリガーされたときのタイプ１  ＳＲＳの伝送が予定されたサブフレームの決定はＳＩＢ１に基づく。タイプ０  ＳＲＳあるいはタイプ１  ＳＲＳのいずれに対しても、ＳＲＳ伝送は上りリンクサブフレームあるいはＳＩＢ１に基づくＵｐＰＴＳ上に設定されることができる。
【０１００】
すなわち、前述したｉ）〜ｉｖ）動作を“フォールバック動作（Ｆａｌｌｂａｃｋ  Ｏｐｅｒａｔｉｏｎ）（あるいはフォールバックモード（Ｆａｌｌｂａｃｋ  Ｍｏｄｅ））”と名付け、これにより、基地局はｉ）用途変更メッセージを成功的に受信することができなかった端末の誤動作（例えば、制御チャネル（ＰＤＣＣＨ／ＥＰＤＣＣＨ）の誤検出（Ｆａｌｓｅ  Ｄｅｔｅｃｔｉｏｎ）による誤った上りリンクデータチャネル（ＰＵＳＣＨ）及び／又は上りリンク制御チャネル（ＰＵＣＣＨ）伝送）によって発生する干渉（Ｉｎｔｅｒｆｅｒｅｎｃｅ）が他の端末と基地局の間の通信（あるいはレガシー（Ｌｅｇａｃｙ）端末と基地局の間の通信）に及ぶ被害を最小化するか、ｉｉ）用途変更メッセージを成功的に受信することができなかった端末の下りリンクＨＡＲＱバッファー運営の間違い（ＤＬ  ＨＡＲＱ  Ｂｕｆｆｅｒ  ｃｏｒｒｕｐｔｉｏｎ））を最小化することができる。
【０１０１】
また、互いに異なる（Ｄｉｆｆｅｒｅｎｔ）上りリンク−下りリンク設定を有するセルが搬送波集成技法（ＣＡ）に用いられ、端末が該当のセル上で同時送／受信（Ｓｉｍｕｌｔａｎｅｏｕｓ  Ｒｅｃｅｐｔｉｏｎ（ＲＸ）  ａｎｄ  Ｔｒａｎｓｍｉｓｓｉｏｎ（ＴＸ））動作を行うことができないとき、表３のような制限（Ｃｏｎｓｔｒａｉｎｔ）に基づいて上りリンク／下りリンクシグナルの送／受信動作を行うように定義されている。
【０１０２】
【表３】
0006360202.tif 000011
【０１０３】
したがって、本発明では、搬送波集成技法（ＣＡ）が適用された状況下で、特定のセル上の無線リソース用途が負荷状態によって動的に変更（つまり、ｅＩＭＴＡ  Ｃｅｌｌ）され、端末が該当のセル（Ａｇｇｒｅｇａｔｅｄ  Ｃｅｌｌｓ）上で同時送／受信（Ｓｉｍｕｌｔａｎｅｏｕｓ  ＴＸ  ａｎｄ  ＲＸ）動作を行うことができないとき、下りリンクデータチャネル（ＰＤＳＣＨ）スケジューリング関連制御情報（ＤＬ  Ｇｒａｎｔ）の有効性を判断する方法を説明する。また、以下では、本発明についての説明の便宜のために、二つのセルが搬送波集成技法（ＣＡ）に用いられる状況を仮定するが、本発明が三つ以上のセルが搬送波集成技法（ＣＡ）に用いられる状況にも拡張して適用可能であるのは明らかな事実である。
【０１０４】
また、本発明の第１方案は、ＴＤＤ  ｅＩＭＴＡ  ＰＣｅｌｌとＴＤＤ（ｅＩＭＴＡあるいはＮｏｎ−ｅＩＭＴＡ）ＳＣｅｌｌが搬送波集成技法に用いられ、ＴＤＤ  ｅＩＭＴＡ  ＰＣｅｌｌがフォールバックモード（Ｆａｌｌｂａｃｋ  Ｍｏｄｅ、つまりＳＩＢ１上りリンク−下りリンク設定）に運営される場合、あるいはＴＤＤ  ｅＩＭＴＡ  ＰＣｅｌｌとＴＤＤ（ｅＩＭＴＡあるいはＮｏｎ−ｅＩＭＴＡ）ＳＣｅｌｌが搬送波集成技法に用いられ、ＴＤＤ  ｅＩＭＴＡ  ＰＣｅｌｌがノンフォールバックモード（Ｎｏｎ−Ｆａｌｌｂａｃｋ  Ｍｏｄｅ）で運営される場合にも拡張して適用することができる。
【０１０５】
第１方案
【０１０６】
ＴＤＤ  ｅＩＭＴＡ  ＰＣｅｌｌとＦＤＤ  ＳＣｅｌｌ（つまり、ＦＤＤ  ＵＬ  ＣＣ、ＦＤＤ  ＤＬ  ＣＣ）が搬送波集成技法に用いられ、ＴＤＤ  ｅＩＭＴＡ  ＰＣｅｌｌがフォールバックモード（Ｆａｌｌｂａｃｋ  Ｍｏｄｅ、つまりＳＩＢ１上りリンク−下りリンク設定）で運営されるとき、以下の規則１−Ａ〜規則１−ｏに基づき、ＦＤＤ  ＳＣｅｌｌ上の下りリンクデータチャネル（ＰＤＳＣＨ）伝送関連スケジューリング情報（ＤＬ  Ｇｒａｎｔ）の有効性を判断することができる。
【０１０７】
また、以下の規則１−Ａ〜１−Ｄは、ＴＤＤ  ｅＩＭＴＡ  ＰＣｅｌｌのＳＩＢ１上りリンク−下りリンク設定（ＵＬ−ＤＬ  Ｃｏｎｆｉｇｕｒａｔｉｏｎ）関連特別サブフレーム設定が、ｉ）Ｓｐｅｃｉａｌ  Ｓｕｂｆｒａｍｅ  Ｃｏｎｆｉｇｕｒａｔｉｏｎｓ  ０（ｗ／Ｎｏｒｍａｌ  Ｄｏｗｎｌｉｎｋ  ＣＰ）ｉｉ）Ｓｐｅｃｉａｌ  Ｓｕｂｆｒａｍｅ  Ｃｏｎｆｉｇｕｒａｔｉｏｎｓ  ５（ｗ／Ｎｏｒｍａｌ  Ｄｏｗｎｌｉｎｋ  ＣＰ）、ｉｉｉ）Ｓｐｅｃｉａｌ  Ｓｕｂｆｒａｍｅ  Ｃｏｎｆｉｇｕｒａｔｉｏｎｓ  ０（ｗ／Ｅｘｔｅｎｄｅｄ  Ｄｏｗｎｌｉｎｋ  ＣＰ）、あるいはｉｖ）Ｓｐｅｃｉａｌ  Ｓｕｂｆｒａｍｅ  Ｃｏｎｆｉｇｕｒａｔｉｏｎｓ  ４（ｗ／Ｅｘｔｅｎｄｅｄ  Ｄｏｗｎｌｉｎｋ  ＣＰ）の少なくとも一つに指定された場合にのみ、（つまり、表３によって“Ｎｏ  ＰＤＳＣＨ  Ｔｒａｎｓｍｉｓｓｉｏｎ  ｉｎ  ＤｗＰＴＳ”に解釈される場合にのみ）限定的に適用されるように定義されることもできる。
【０１０８】
まず、ＴＤＤ  ｅＩＭＴＡ  ＰＣｅｌｌのフォールバックモード（Ｆａｌｌｂａｃｋ  Ｍｏｄｅ）に基づくＳＩＢ１上りリンク−下りリンク設定上の特別サブフレーム（Ｓｐｅｃｉａｌ  ＳＦ、以下、Ｓ  ＳＦという）とＦＤＤ  ＤＬ  ＣＣ上のＤＬ  ＳＦが重なるとき、本発明の第１方案が適用される場合を調べる、
【０１０９】
クロス−キャリアスケジューリング（Ｃｒｏｓｓ  Ｃａｒｒｉｅｒ  Ｓｃｈｅｄｕｌｉｎｇ、ＣＣＳ）の場合、該当のＳＦ（つまり、ＴＤＤ  ｅＩＭＴＡ  ＰＣｅｌｌのフォールバックモード（Ｆａｌｌｂａｃｋ  Ｍｏｄｅ）に基づくＳＩＢ１上りリンク−下りリンク設定上の特別サブフレーム（Ｓｐｅｃｉａｌ  ＳＦ、以下、Ｓ  ＳＦという）とＦＤＤ  ＤＬ  ＣＣ上のＤＬ  ＳＦが重なるＳＦ）位置で、端末がＴＤＤ  ｅＩＭＴＡ  ＰＣｅｌｌのＳ  ＳＦでＦＤＤ  ＤＬ  ＣＣ上のＰＤＳＣＨをスケジューリングするＤＬ  Ｇｒａｎｔを受信すれば、以下の規則１−Ａあるいは規則１−Ｂを適用することができる。
【０１１０】
規則１−Ａ：端末は該当のＤＬ  Ｇｒａｎｔが有効でない（Ｉｎｖａｌｉｄ）と判断し、ＦＤＤ  ＤＬ  ＣＣ上の該当のＳＦ位置でＰＤＳＣＨ受信動作を行わないことができる。これは、ＤＬ  Ｇｒａｎｔの誤検出（Ｆａｌｓｅ  Ｄｅｔｅｃｔｉｏｎ）による端末の誤動作を防止するためである。すなわち、規則１−Ａは端末がＦＤＤ  ＤＬ  ＣＣ上の該当のＳＦ位置でＰＤＳＣＨ／ＥＰＤＣＣＨ／ＰＭＣＨ／ＰＲＳなどのシグナルの受信を期待しないものと判断することができる。言い換えれば、端末がＴＤＤ  ｅＩＭＴＡ  ＰＣｅｌｌの保護区間（Ｇｕａｒｄ  Ｐｅｒｉｏｄ、ＧＰ）あるいはＵｐＰＴＳの少なくとも一つと重なるＦＤＤ  ＤＬ  ＣＣのＳＦ領域で何の他のシグナルの受信を期待しないものとも判断することができる。
【０１１１】
規則１−Ｂ：端末は該当のＤＬ  Ｇｒａｎｔが有効である（Ｖａｌｉｄ）と判断し、ＦＤＤ  ＤＬ  ＣＣ上の該当のＳＦ位置でＰＤＳＣＨ受信動作を行うことができる。すなわち、規則１−Ｂは、端末がＦＤＤ  ＤＬ  ＣＣ上の該当のＳＦ位置でＰＤＳＣＨ／ＥＰＤＣＣＨ／ＰＭＣＨ／ＰＲＳなどのシグナルの受信を期待するものと判断することができる。言い換えれば、端末がＴＤＤ  ｅＩＭＴＡ  ＰＣｅｌｌのＧＰあるいはＵｐＰＴＳの少なくとも一つと重なるＦＤＤ  ＤＬ  ＣＣのＳＦ領域で前もって定義された下りリンクシグナルの受信を期待するものとも判断することができる（あるいは、端末がＦＤＤ  ＤＬ  ＣＣ上の該当の位置のＳＦをＤＬ  ＳＦと見なすものにも解釈することができる）。
【０１１２】
セルフ−スケジューリング（Ｓｅｌｆ−Ｓｃｈｅｄｕｌｉｎｇ）の場合、該当のＳＦ位置で、端末がＦＤＤ  ＤＬ  ＣＣ上のＰＤＣＣＨ領域でＦＤＤ  ＤＬ  ＣＣ上のＰＤＳＣＨをスケジューリングするＤＬ  Ｇｒａｎｔを受信するか、あるいはＴＤＤ  ｅＩＭＴＡ  ＰＣｅｌｌのＳ  ＳＦのＤｗＰＴＳ領域と重なる所でのＦＤＤ  ＤＬ  ＣＣ上のＰＤＣＣＨ領域でＦＤＤ  ＤＬ  ＣＣ上のＰＤＳＣＨをスケジューリングするＤＬ  Ｇｒａｎｔを受信すれば、以下の規則１−Ｃあるいは規則１−Ｄを適用することができる。
【０１１３】
規則１−Ｃ：端末は該当のＤＬ  Ｇｒａｎｔが有効でない（Ｉｎｖａｌｉｄ）と判断し、ＦＤＤ  ＤＬ  ＣＣ上の該当のＳＦ位置でＰＤＳＣＨ受信動作を行わないことができる。すなわち、規則１−Ｃは端末がＦＤＤ  ＤＬ  ＣＣ上の該当のＳＦ位置でＰＤＳＣＨ／ＥＰＤＣＣＨ／ＰＭＣＨ／ＰＲＳなどのシグナルの受信を期待しないものと判断することができる。言い換えれば、端末がＴＤＤ  ｅＩＭＴＡ  ＰＣｅｌｌの保護区間（Ｇｕａｒｄ  Ｐｅｒｉｏｄ、ＧＰ）あるいはＵｐＰＴＳの少なくとも一つと重なるＦＤＤ  ＤＬ  ＣＣのＳＦ領域で何の他のシグナルの受信も期待しないものとも判断することができる。
【０１１４】
規則１−Ｄ：端末は該当のＤＬ  Ｇｒａｎｔが有効である（Ｖａｌｉｄ）と判断し、ＦＤＤ  ＤＬ  ＣＣ上の該当のＳＦ位置でＰＤＳＣＨ受信動作を行うことができる。このような規則１−Ｄは端末がＦＤＤ  ＤＬ  ＣＣ上の該当のＳＦ位置でＰＤＳＣＨ／ＥＰＤＣＣＨ／ＰＭＣＨ／ＰＲＳなどのシグナルの受信を期待するように判断することができる。言い換えれば、端末がＴＤＤ  ｅＩＭＴＡ  ＰＣｅｌｌのＧＰあるいはＵｐＰＴＳの少なくとも一つと重なるＦＤＤ  ＤＬ  ＣＣのＳＦ領域で、前もって定義された下りリンクシグナルの受信を期待するものにも判断することができる（あるいは、端末がＦＤＤ  ＤＬ  ＣＣ上の該当の位置のＳＦをＤＬ  ＳＦと見なすものにも解釈することができる）。
【０１１５】
また、前述した規則１−Ａ、規則１−Ｂ、規則１−Ｃあるいは規則１−Ｄの少なくとも一つは、ＴＤＤ  ｅＩＭＴＡ  ＰＣｅｌｌのノンフォールバックモード（Ｎｏｎ−Ｆａｌｌｂａｃｋ  Ｍｏｄｅ）に基づくアクチュアル（Ａｃｔｕａｌ）上りリンク−下りリンク設定（あるいは有効な上りリンク−下りリンク設定）上の特別サブフレーム（Ｓｐｅｃｉａｌ  ＳＦ）とＦＤＤ  ＤＬ  ＣＣ上の下りリンクサブフレーム（ＤＬ  ＳＦ）が重なる場合にも拡張して適用することができる。
【０１１６】
また、ＴＤＤシステム環境下で特別サブフレーム設定（Ｓｐｅｃｉａｌ  ｓｕｂｆｒａｍｅ  Ｃｏｎｆｉｇｕｒａｔｉｏｎ）による端末の下りリンク信号／チャネル受信に対する仮定は前述した表１、表２及び以下の表４（ＬＴＥ／ＬＴＥ−Ａ標準文書３ＧＰＰ  ＴＳ３６．２１３参照）のようである。
【０１１７】
【表４】
0006360202.tif 000012
【０１１８】
第２方案
【０１１９】
本発明の第２方案によると、ＴＤＤ  ｅＩＭＴＡ  Ｃｅｌｌ（つまり、Ｎｏｎ−ＣＡの場合）がフォールバックモード（Ｆａｌｌｂａｃｋ  Ｍｏｄｅ、つまりＳＩＢ１上りリンク−下りリンク設定）で運営されるとき、以下の規則２−Ａあるいは規則２−Ｂによって該当のＴＤＤ  ｅＩＭＴＡ  Ｃｅｌｌ上の下りリンクデータチャネル（ＰＤＳＣＨ）伝送関連スケジューリング情報（ＤＬ  Ｇｒａｎｔ）の有効性を判断することができる。
【０１２０】
例えば、規則２−Ａあるいは規則２−Ｂは、ＳＩＢ１上りリンク−下りリンク設定関連特別サブフレーム設定が、ｉ）Ｓｐｅｃｉａｌ  Ｓｕｂｆｒａｍｅ  Ｃｏｎｆｉｇｕｒａｔｉｏｎｓ  ０（ｗ／  Ｎｏｒｍａｌ  Ｄｏｗｎｌｉｎｋ  ＣＰ）、ｉｉ）あるいはＳｐｅｃｉａｌ  Ｓｕｂｆｒａｍｅ  Ｃｏｎｆｉｇｕｒａｔｉｏｎｓ  ５（ｗ／  Ｎｏｒｍａｌ  Ｄｏｗｎｌｉｎｋ  ＣＰ）ｉｉｉ）あるいはＳｐｅｃｉａｌ  Ｓｕｂｆｒａｍｅ  Ｃｏｎｆｉｇｕｒａｔｉｏｎｓ  ０（ｗ／  Ｅｘｔｅｎｄｅｄ  Ｄｏｗｎｌｉｎｋ  ＣＰ）ｉｖ）あるいはＳｐｅｃｉａｌ  Ｓｕｂｆｒａｍｅ  Ｃｏｎｆｉｇｕｒａｔｉｏｎｓ  ４（ｗ／  Ｅｘｔｅｎｄｅｄ  Ｄｏｗｎｌｉｎｋ  ＣＰ）の少なくとも一つに指定された場合（つまり、“Ｎｏ  ＰＤＳＣＨ  Ｔｒａｎｓｍｉｓｓｉｏｎ  ｉｎ  ＤｗＰＴＳ”に解釈される場合）にのみ限定的に適用されるように定義されることができ、また、これによりフォールバックモード（Ｆａｌｌｂａｃｋ  Ｍｏｄｅ）による下りリンク性能の減少を防止することができる。
【０１２１】
例えば、ｉ）ＴＤＤ  ｅＩＭＴＡ  Ｃｅｌｌのフォールバックモード（Ｆａｌｌｂａｃｋ  Ｍｏｄｅ）に基づくＳＩＢ１上りリンク−下りリンク設定上のＳｐｅｃｉａｌ  ＳＦと（前もって設定された）下りリンクＨＡＲＱ参照設定（ＤＬ  ＨＡＲＱ  ｒｅｆｅｒｅｎｃｅ  ｃｏｎｆｉｇｕｒａｔｉｏｎ）上のＤＬ  ＳＦが重なるか、ｉｉ）ＴＤＤ  ｅＩＭＴＡ  Ｃｅｌｌのフォールバックモード（Ｆａｌｌｂａｃｋ  Ｍｏｄｅ）に基づくＳＩＢ１上りリンク−下りリンク設定上のＳｐｅｃｉａｌ  ＳＦと以前アクチュアル（Ａｃｔｕａｌ）上りリンク−下りリンク設定上のＤＬ  ＳＦが重なるか、ｉｉｉ）ＴＤＤ  ｅＩＭＴＡ  Ｃｅｌｌのフォールバックモード（Ｆａｌｌｂａｃｋ  Ｍｏｄｅ）に基づくＳＩＢ１上りリンク−下りリンク設定上のＳｐｅｃｉａｌ  ＳＦと以前の有効な（Ｖａｌｉｄ）上りリンク−下りリンク設定の一つ上のＤＬ  ＳＦが重なる場合、該当（重なる）のＳＦ位置で、端末がＴＤＤ  ｅＩＭＴＡ  ＣｅｌｌのＳｐｅｃｉａｌ  ＳＦでＰＤＳＣＨをスケジューリングするＤＬ  Ｇｒａｎｔを受信すれば、以下の規則２−Ａあるいは規則２−Ｂが適用できる。
【０１２２】
規則２−Ａ：端末は該当のＤＬ  Ｇｒａｎｔが有効でない（Ｉｎｖａｌｉｄ）と判断し、該当のＳＦ位置でＰＤＳＣＨ受信動作を行わないことができる。
【０１２３】
規則２−Ｂ：端末は該当のＤＬ  Ｇｒａｎｔが有効である（Ｖａｌｉｄ）と判断し、該当のＳＦ位置でＰＤＳＣＨ受信動作を行うことができる（あるいは端末が該当の位置のＳＦをＤＬ  ＳＦと見なすことにも解釈可能である）。
【０１２４】
以下では、搬送波集成技法（ＣＡ）が適用された状況下で、特定のセル上の無線リソース用途が負荷状態によって動的に変更（つまり、ｅＩＭＴＡ  Ｃｅｌｌ）され、端末が該当のセル（Ａｇｇｒｅｇａｔｅｄ  Ｃｅｌｌｓ）上で同時送／受信（Ｓｉｍｕｌｔａｎｅｏｕｓ  ＴＸ  ａｎｄ  ＲＸ）動作を行うことができないとき、上りリンクデータチャネル（ＰＵＳＣＨ）スケジューリング関連制御情報（ＵＬ  Ｇｒａｎｔ）の有効性を判断する方法を説明する。
【０１２５】
以下では、本発明についての説明の便宜のために、二つのセルが搬送波集成技法（ＣＡ）に用いられる状況を仮定するが、本発明が三つ以上のセルが搬送波集成技法（ＣＡ）に用いられる状況にも拡張して適用可能であるのは明らかな事実である。
【０１２６】
また、以下、第３方案はｉ）ＴＤＤ  ｅＩＭＴＡ  ＰＣｅｌｌとＴＤＤ（ｅＩＭＴＡあるいはＮｏｎ−ｅＩＭＴＡ）ＳＣｅｌｌが搬送波集成技法に用いられ、ＴＤＤ  ｅＩＭＴＡ  ＰＣｅｌｌがフォールバックモード（Ｆａｌｌｂａｃｋ  Ｍｏｄｅ、つまりＳＩＢ１上りリンク−下りリンク設定）あるいはｉｉ）ＴＤＤ  ｅＩＭＴＡ  ＰＣｅｌｌとＴＤＤ（ｅＩＭＴＡあるいはＮｏｎ−ｅＩＭＴＡ）ＳＣｅｌｌが搬送波集成技法に用いられ、ＴＤＤ  ｅＩＭＴＡ  ＰＣｅｌｌがノンフォールバックモード（Ｎｏｎ−Ｆａｌｌｂａｃｋ  Ｍｏｄｅ）に運営される場合にも拡張して適用することができる。
【０１２７】
第３方案
【０１２８】
ＴＤＤ  ｅＩＭＴＡ  ＰＣｅｌｌとＦＤＤ  ＳＣｅｌｌ（つまり、ＦＤＤ  ＵＬ  ＣＣ、ＦＤＤ  ＤＬ  ＣＣ）が搬送波集成技法に用いられ、ＴＤＤ  ｅＩＭＴＡ  ＰＣｅｌｌがフォールバックモード（Ｆａｌｌｂａｃｋ  Ｍｏｄｅ、つまりＳＩＢ１上りリンク−下りリンク設定）に運営されるとき、以下の規則３−Ａ〜規則３−Ｄに基づいてＦＤＤ  ＳＣｅｌｌ上の上りリンクデータチャネル（ＰＵＳＣＨ）伝送関連スケジューリング情報（ＵＬ  Ｇｒａｎｔ）の有効性を判断することができる。
【０１２９】
ＣＣＳ（Ｃｒｏｓｓ  Ｃａｒｒｉｅｒ  Ｓｃｈｅｄｕｌｉｎｇ）あるいはセルフスケジューリング（Ｓｅｌｆ−Ｓｃｈｅｄｕｌｉｎｇ）の場合に適用される規則３−Ａ〜規則３−Ｃを先に説明する。
【０１３０】
規則３−Ａ：（ＦＤＤ  ＵＬ  ＣＣ上の）該当のＰＵＳＣＨ伝送がＴＤＤ  ｅＩＭＴＡ  ＰＣｅｌｌのｉ）下りリンクＨＡＲＱ参照設定、ｉｉ）あるいは上りリンクＨＡＲＱ参照設定（ＵＬ  ＨＡＲＱ  Ｒｅｆｅｒｅｎｃｅ  Ｃｏｎｆｉｇｕｒａｔｉｏｎ）、ｉｉｉ）あるいはＳＩＢ１上りリンク−下りリンク設定、ｉｖ）あるいは上りリンク−参照ＨＡＲＱタイムライン（ＵＬ−Ｒｅｆｅｒｅｎｃｅ  ＨＡＲＱ  Ｔｉｍｅｌｉｎｅ）、ｖ）あるいは下りリンク−参照ＨＡＲＱタイムライン（ＤＬ−Ｒｅｆｅｒｅｎｃｅ  ＨＡＲＱ  Ｔｉｍｅｌｉｎｅ）の少なくとも一つによるＵＬ  ＳＦ位置と同一位置で行われなければならないかによって、該当のＵＬ  Ｇｒａｎｔの有効性（Ｖａｌｉｄａｔｉｏｎ）が決定されることができる。
【０１３１】
具体的に、ＴＤＤ  ｅＩＭＴＡ  ＰＣｅｌｌのｉ）下りリンクＨＡＲＱ参照設定、ｉｉ）あるいは上りリンクＨＡＲＱ参照設定（ＵＬ  ＨＡＲＱ  Ｒｅｆｅｒｅｎｃｅ  Ｃｏｎｆｉｇｕｒａｔｉｏｎ）、ｉｉｉ）あるいはＳＩＢ１上りリンク−下りリンク設定、ｉｖ）あるいは上りリンク−参照ＨＡＲＱタイムライン（ＵＬ−Ｒｅｆｅｒｅｎｃｅ  ＨＡＲＱ  Ｔｉｍｅｌｉｎｅ）、ｖ）あるいは下りリンク−参照ＨＡＲＱタイムライン（ＤＬ−Ｒｅｆｅｒｅｎｃｅ  ＨＡＲＱ  Ｔｉｍｅｌｉｎｅ）の少なくとも一つによるＵＬ  ＳＦ位置と同一地点で、該当のＦＤＤ  ＵＬ  ＣＣ上のＰＵＳＣＨ伝送が行われなければならないとすれば、端末は該当のＵＬ  Ｇｒａｎｔが有効である（Ｖａｌｉｄ）と判断することができる。しかし、前記ｉ）〜ｖｉ）による位置と同一地点でなければ、該当のＵＬ  Ｇｒａｎｔが有効でない（Ｉｎｖａｌｉｄ）と判断することができる。
【０１３２】
規則３−Ｂ：端末は該当のＵＬ  Ｇｒａｎｔが（常に）有効でない（Ｉｎｖａｌｉｄ）と判断し、ＦＤＤ  ＵＬ  ＣＣでＰＵＳＣＨ送信動作を行わないこともできる。
【０１３３】
規則３−Ｃ：端末は該当のＵＬ  Ｇｒａｎｔが（常に）有効である（Ｖａｌｉｄ）と判断し、ＦＤＤ  ＵＬ  ＣＣでＰＵＳＣＨ送信動作を行うことができる。
【０１３４】
また、ＴＤＤ  ｅＩＭＴＡ  ＰＣｅｌｌとＦＤＤ  ＳＣｅｌｌ（つまり、ＦＤＤ  ＵＬ  ＣＣ、ＦＤＤ  ＤＬ  ＣＣ）が搬送波集成技法に用いられ、ＴＤＤ  ｅＩＭＴＡ  ＰＣｅｌｌがノンフォールバックモード（Ｎｏｎ−Ｆａｌｌｂａｃｋ  Ｍｏｄｅ、つまりアクチュアル（Ａｃｔｕａｌ）上りリンク−下りリンク設定（あるいは有効な（Ｖａｌｉｄ）上りリンク−下りリンク設定）に運営されるとき、規則３−Ｄに基づいてＦＤＤ  ＳＣｅｌｌ上の上りリンクデータチャネル（ＰＵＳＣＨ）伝送関連スケジューリング情報（ＵＬ  Ｇｒａｎｔ）の有効性を判断することができる。
【０１３５】
規則３−Ｄ：（ＦＤＤ  ＵＬ  ＣＣ上の）該当のＰＵＳＣＨ伝送がＴＤＤ  ｅＩＭＴＡ  ＰＣｅｌｌのｉ）アクチュアル（Ａｃｔｕａｌ）上りリンク−下りリンク設定、ｉｉ）あるいは下りリンクＨＡＲＱ参照設定、ｉｉｉ）あるいは上りリンクＨＡＲＱ参照設定、ｉｖ）あるいはＳＩＢ１上りリンク−下りリンク設定、ｖ）あるいは上りリンク−参照ＨＡＲＱタイムライン、ｖｉ）下りリンク−参照ＨＡＲＱタイムラインの少なくとも一つによるＵＬ  ＳＦ位置と同一地点で行われなければならないとすれば、端末は該当のＵＬ  Ｇｒａｎｔが有効である（Ｖａｌｉｄ）と判断することができる。しかし、前記ｉ）〜ｖｉ）による位置と同一地点でなければ、該当のＵＬ  Ｇｒａｎｔが有効でない（Ｉｎｖａｌｉｄ）と判断することができる。
【０１３６】
以下では、搬送波集成技法（ＣＡ）が適用された状況下で、特定のセル上の無線リソース用途が負荷状態によって動的に変更（つまり、ｅＩＭＴＡ  Ｃｅｌｌ）され、端末が該当のセル（Ａｇｇｒｅｇａｔｅｄ  Ｃｅｌｌｓ）上で同時送／受信（Ｓｉｍｕｌｔａｎｅｏｕｓ  ＴＸ  ａｎｄ  ＲＸ）動作を行うことができないとき、非周期的（Ａｐｅｒｉｏｄｉｃ）ＳＲＳ（Ａ−ＳＲＳ）伝送関連トリガーグメッセージ（ｔｒｉｇｇｅｒｉｎｇ  ｍｅｓｓａｇｅ、例えばＵＬ  ＧｒａｎｔあるいはＤＬ  Ｇｒａｎｔ）の有効性を判断する方法を説明する。
【０１３７】
以下では、本発明についての説明の便宜のために、二つのセルが搬送波集成技法（ＣＡ）に用いられる状況を仮定するが、本発明が三つ以上のセルが搬送波集成技法（ＣＡ）に用いられる状況にも拡張して適用可能であるのは明らかな事実である。
【０１３８】
また、以下、第４方案はｉ）ＴＤＤ  ｅＩＭＴＡ  ＰＣｅｌｌとＴＤＤ（ｅＩＭＴＡあるいはＮｏｎ−ｅＩＭＴＡ）ＳＣｅｌｌが搬送波集成技法に用いられ、ＴＤＤ  ｅＩＭＴＡ  ＰＣｅｌｌがフォールバックモード（Ｆａｌｌｂａｃｋ  Ｍｏｄｅ、つまりＳＩＢ１上りリンク−下りリンク設定）あるいはｉｉ）ＴＤＤ  ｅＩＭＴＡ  ＰＣｅｌｌとＴＤＤ（ｅＩＭＴＡあるいはＮｏｎ−ｅＩＭＴＡ）ＳＣｅｌｌが搬送波集成技法に用いられ、ＴＤＤ  ｅＩＭＴＡ  ＰＣｅｌｌがノンフォールバックモード（Ｎｏｎ−Ｆａｌｌｂａｃｋ  Ｍｏｄｅ）に運営される場合にも拡張して適用することができる。
【０１３９】
第４方案
【０１４０】
ＴＤＤ  ｅＩＭＴＡ  ＰＣｅｌｌとＦＤＤ  ＳＣｅｌｌ（つまり、ＦＤＤ  ＵＬ  ＣＣ、ＦＤＤ  ＤＬ  ＣＣ）が搬送波集成技法に用いられ、ＴＤＤ  ｅＩＭＴＡ  ＰＣｅｌｌがフォールバックモード（Ｆａｌｌｂａｃｋ  Ｍｏｄｅ、つまりＳＩＢ１上りリンク−下りリンク設定）に運営されるとき、以下の規則４−Ａ〜規則４−Ｆの少なくとも一つに基づいてＦＤＤ  ＳＣｅｌｌ上のＡ−ＳＲＳ伝送関連トリガーメッセージの有効性を判断することができる。
【０１４１】
まず、ＣＣＳ（Ｃｒｏｓｓ  Ｃａｒｒｉｅｒ  Ｓｃｈｅｄｕｌｉｎｇ）あるいはセルフ−スケジューリング（Ｓｅｌｆ−Ｓｃｈｅｄｕｌｉｎｇ）の場合、第４方案が適用される場合を説明する。
【０１４２】
規則４−Ａ：（ＦＤＤ  ＵＬ  ＣＣ上の）該当のＡ−ＳＲＳ伝送がＴＤＤ  ｅＩＭＴＡ  ＰＣｅｌｌのｉ）下りリンクＨＡＲＱ参照設定、ｉｉ）あるいは上りリンクＨＡＲＱ参照設定、ｉｉｉ）あるいはＳＩＢ１上りリンク−下りリンク設定、ｉｖ）あるいは上りリンク−参照ＨＡＲＱタイムライン、ｖ）あるいは下りリンク−参照ＨＡＲＱタイムラインの少なくとも一つによるＵＬ  ＳＦ位置、ｖｉ）及び／又はＵｐＰＴＳ位置と同一地点で行われなければならないかによって、該当のトリガーメッセージの有効性（Ｖａｌｉｄａｔｉｏｎ）が決定できる。
【０１４３】
具体的に、ＴＤＤ  ｅＩＭＴＡ  ＰＣｅｌｌのｉ）下りリンクＨＡＲＱ参照設定、ｉｉ）あるいは上りリンクＨＡＲＱ参照設定、ｉｉｉ）あるいはＳＩＢ１上りリンク−下りリンク設定、ｉｖ）あるいは上りリンク−参照ＨＡＲＱタイムライン、ｖ）あるいは下りリンク−参照ＨＡＲＱタイムラインの少なくとも一つによるＵＬ  ＳＦ位置、ｖｉ）及び／又はＵｐＰＴＳ位置と同一地点で該当の（ＦＤＤ  ＵＬ  ＣＣ上の）Ａ−ＳＲＳ伝送が行われなければならなければ、端末は該当のトリガーメッセージが有効である（Ｖａｌｉｄ）と判断することができる。一方、前記ｉ）〜ｖｉ）による位置と同一地点でなければ、該当のトリガーメッセージが有効でない（Ｉｎｖａｌｉｄ）と判断することができる。
【０１４４】
規則４−Ｂ：（ＦＤＤ  ＵＬ  ＣＣ上の）該当のＡ−ＳＲＳ伝送がＴＤＤ  ｅＩＭＴＡ  ＰＣｅｌｌのｉ）下りリンクＨＡＲＱ参照設定、ｉｉ）あるいは上りリンクＨＡＲＱ参照設定、ｉｉｉ）あるいはＳＩＢ１上りリンク−下りリンク設定、ｉｖ）あるいは上りリンク−参照ＨＡＲＱタイムライン、ｖ）あるいは下りリンク−参照ＨＡＲＱタイムラインの少なくとも一つによるＵＬ  ＳＦ位置、ｖｉ）及び／又はＵｐＰＴＳ位置と同一地点で該当（ＦＤＤ  ＵＬ  ＣＣ上の）Ａ−ＳＲＳ伝送が行われなければならないとすれば、端末は該当のトリガーメッセージが有効である（Ｖａｌｉｄ）と判断する。
【０１４５】
一方、該当のＡ−ＳＲＳ伝送がＴＤＤ  ｅＩＭＴＡ  ＰＣｅｌｌのＴＤＤ  ｅＩＭＴＡ  ＰＣｅｌｌのｉ）下りリンクＨＡＲＱ参照設定、ｉｉ）あるいは上りリンクＨＡＲＱ参照設定、ｉｉｉ）あるいはＳＩＢ１上りリンク−下りリンク設定、ｉｖ）あるいは上りリンク−参照ＨＡＲＱタイムライン、ｖ）あるいは下りリンク−参照ＨＡＲＱタイムラインの少なくとも一つによるＵＬ  ＳＦ位置、ｖｉ）及び／又はＵｐＰＴＳ位置と違う地点で該当の（ＦＤＤ  ＵＬ  ＣＣ上の）Ａ−ＳＲＳ伝送が行われなければならないとすれば、端末は専らＰＵＳＣＨ伝送が同時にスケジューリングされた場合（つまり、（ＦＤＤ  ＵＬ  ＣＣ上の）一つのＳＦ上でＰＵＳＣＨとＡ−ＳＲＳが同時に送信されなければならない場合）にのみ該当のトリガーメッセージが有効である（Ｖａｌｉｄ）と判断するが、ＰＵＳＣＨ伝送が同時にスケジューリングされなかったとすれば、該当のトリガーメッセージが有効でない（Ｉｎｖａｌｉｄ）と判断することができる。
【０１４６】
規則４−Ｃ：端末は該当のＡ−ＳＲＳ伝送が行われなければならないＦＤＤ  ＵＬ  ＣＣのＳＦ上でＰＵＳＣＨ伝送が同時にスケジューリングされた場合（つまり、（ＦＤＤ  ＵＬ  ＣＣ上の）一つのＳＦ上でＰＵＳＣＨとＡ−ＳＲＳが同時に送信されなければならない場合）にのみ、該当のトリガーメッセージが有効である（Ｖａｌｉｄ）と判断することができる。一方、ＰＵＳＣＨ伝送が同時にスケジューリングされなかったとすれば、該当のトリガーメッセージが有効でない（Ｉｎｖａｌｉｄ）と判断することができる。
【０１４７】
規則４−Ｄ：端末は該当のトリガーメッセージが（常に）有効でない（Ｉｎｖａｌｉｄ）と判断し、ＦＤＤ  ＵＬ  ＣＣでＡ−ＳＲＳ送信動作を行わないこともできる。
【０１４８】
規則４−Ｅ：端末は該当のトリガーメッセージが（常に）有効である（Ｖａｌｉｄ）と判断し、ＦＤＤ  ＵＬ  ＣＣでＡ−ＳＲＳ送信動作を行うことができる。
【０１４９】
また、ＴＤＤ  ｅＩＭＴＡ  ＰＣｅｌｌとＦＤＤ  ＳＣｅｌｌ（つまり、ＦＤＤ  ＵＬ  ＣＣ、ＦＤＤ  ＤＬ  ＣＣ）が搬送波集成技法に用いられ、ＴＤＤ  ｅＩＭＴＡ  ＰＣｅｌｌがノンフォールバックモード（Ｎｏｎ−Ｆａｌｌｂａｃｋ  Ｍｏｄｅ、つまりアクチュアル（Ａｃｔｕａｌ）上りリンク−下りリンク設定（あるいはＶａｌｉｄ上りリンク−下りリンク設定））に運営されるとき、規則４−Ｆに基づいてＦＤＤ  ＳＣｅｌｌ上のＡ−ＳＲＳ伝送関連トリガーメッセージの有効性を判断することができる。
【０１５０】
規則４−Ｆ：（ＦＤＤ  ＵＬ  ＣＣ上の）該当のＡ−ＳＲＳ伝送がＴＤＤ  ｅＩＭＴＡ  ＰＣｅｌｌのｉ）アクチュアル（Ａｃｔｕａｌ）上りリンク−下りリンク設定、ｉｉ）あるいは下りリンクＨＡＲＱ参照設定、ｉｉｉ）あるいは上りリンクＨＡＲＱ参照設定、ｉｖ）あるいはＳＩＢ１上りリンク−下りリンク設定、ｖ）あるいは上りリンク−参照ＨＡＲＱタイムライン、ｖｉ）あるいは下りリンク−参照ＨＡＲＱタイムラインによるＵＬ  ＳＦ位置、ｖｉｉ）及び／又はＵｐＰＴＳ位置と同一地点で行われなければならないとすれば、端末は該当のトリガーメッセージが有効である（Ｖａｌｉｄ）と判断することができる。しかし、前記ｉ）〜ｖｉｉ）による位置と違う地点でＡ−ＳＲＳ伝送が行われなければならないとすれば、該当のトリガーメッセージが有効でない（Ｉｎｖａｌｉｄ）と判断することができる。
【０１５１】
以下では、搬送波集成技法（ＣＡ）が適用された状況下で、特定のセル上の無線リソース用途が負荷状態によって動的に変更（つまり、ｅＩＭＴＡ  Ｃｅｌｌ）され、端末が該当のセル（Ａｇｇｒｅｇａｔｅｄ  Ｃｅｌｌｓ）上で同時送／受信（Ｓｉｍｕｌｔａｎｅｏｕｓ  ＴＸ  ａｎｄ  ＲＸ）動作を行うことができないとき、周期的（Ｐｅｒｉｏｄｉｃ）ＳＲＳ（Ｐ−ＳＲＳ）伝送の有効性を判断する方法を説明する。
【０１５２】
以下では、本発明についての説明の便宜のために、二つのセルが搬送波集成技法（ＣＡ）に用いられる状況を仮定するが、本発明が三つ以上のセルが搬送波集成技法（ＣＡ）に用いられる状況にも拡張して適用可能であるのは明らかな事実である。
【０１５３】
また、以下の第５方案は、ｉ）ＴＤＤ  ｅＩＭＴＡ  ＰＣｅｌｌとＴＤＤ（ｅＩＭＴＡあるいはＮｏｎ−ｅＩＭＴＡ）ＳＣｅｌｌが搬送波集成技法に用いられ、ＴＤＤ  ｅＩＭＴＡ  ＰＣｅｌｌがフォールバックモード（Ｆａｌｌｂａｃｋ  Ｍｏｄｅ、つまりＳＩＢ１上りリンク−下りリンク設定）あるいはｉｉ）ＴＤＤ  ｅＩＭＴＡ  ＰＣｅｌｌとＴＤＤ（ｅＩＭＴＡあるいはＮｏｎ−ｅＩＭＴＡ）ＳＣｅｌｌが搬送波集成技法に用いられ、ＴＤＤ  ｅＩＭＴＡ  ＰＣｅｌｌがノンフォールバックモード（Ｎｏｎ−Ｆａｌｌｂａｃｋ  Ｍｏｄｅ）に運営される場合にも拡張して適用することができる。
【０１５４】
第５方案
【０１５５】
ＴＤＤ  ｅＩＭＴＡ  ＰＣｅｌｌとＦＤＤ  ＳＣｅｌｌ（つまり、ＦＤＤ  ＵＬ  ＣＣ、ＦＤＤ  ＤＬ  ＣＣ）が搬送波集成技法に用いられ、ＴＤＤ  ｅＩＭＴＡ  ＰＣｅｌｌがフォールバックモード（ＦａｌｌｂａｃｋＭｏｄ、つまりＳＩＢ１上りリンク−下りリンク設定）に運営されるとき、以下の規則５−Ａ〜５−Ｆに基づいてＦＤＤ  ＳＣｅｌｌ上のＰ−ＳＲＳ伝送の有効性を判断することができる。
【０１５６】
まず、ＣＣＳ（Ｃｒｏｓｓ  Ｃａｒｒｉｅｒ  Ｓｃｈｅｄｕｌｉｎｇ）あるいはセルフスケジューリング（Ｓｅｌｆ−Ｓｃｈｅｄｕｌｉｎｇ）の場合、第５方案が適用される場合を説明する。
【０１５７】
規則５−Ａ：（ＦＤＤ  ＵＬ  ＣＣ上の）該当のＰ−ＳＲＳ伝送がＴＤＤ  ｅＩＭＴＡ  ＰＣｅｌｌのｉ）下りリンクＨＡＲＱ参照設定、ｉｉ）あるいは上りリンクＨＡＲＱ参照設定、ｉｉｉ）あるいはＳＩＢ１上りリンク−下りリンク設定、ｉｖ）あるいは上りリンク−参照ＨＡＲＱタイムライン、ｖ）あるいは下りリンク−参照ＨＡＲＱタイムラインの少なくとも一つによるＵＬ  ＳＦ位置、ｖｉ）及び／又はＵｐＰＴＳ位置と同一地点で行われなければならないかによって、該当のＰ−ＳＲＳ伝送有効性（Ｖａｌｉｄａｔｉｏｎ）が決定されることができる。
【０１５８】
具体的に、ＴＤＤ  ｅＩＭＴＡ  ＰＣｅｌｌのｉ）下りリンクＨＡＲＱ参照設定、ｉｉ）あるいは上りリンクＨＡＲＱ参照設定、ｉｉｉ）あるいはＳＩＢ１上りリンク−下りリンク設定、ｉｖ）あるいは上りリンク−参照ＨＡＲＱタイムライン、ｖ）あるいは下りリンク−参照ＨＡＲＱタイムラインの少なくとも一つによるＵＬ  ＳＦ位置、ｖｉ）及び／又はＵｐＰＴＳ位置と同一地点で該当（ＦＤＤ  ＵＬ  ＣＣ上の）Ｐ−ＳＲＳ伝送が行われなければならないとすれば、端末は該当のＰ−ＳＲＳ伝送有効である（Ｖａｌｉｄ）と判断することができる。しかし、ｉ）〜ｖｉ）の位置と違う地点でＰ−ＳＲＳ伝送が行われなければならないとすれば、該当のＰ−ＳＲＳ伝送が有効でない（Ｉｎｖａｌｉｄ）と判断することができる。
【０１５９】
規則５−Ｂ：（ＦＤＤ  ＵＬ  ＣＣ上の）該当のＰ−ＳＲＳ伝送がＴＤＤ  ｅＩＭＴＡ  ＰＣｅｌｌのｉ）下りリンクＨＡＲＱ参照設定、ｉｉ）あるいは上りリンクＨＡＲＱ参照設定、ｉｉｉ）あるいはＳＩＢ１上りリンク−下りリンク設定、ｉｖ）あるいは上りリンク−参照ＨＡＲＱタイムライン、ｖ）あるいは下りリンク−参照ＨＡＲＱタイムラインの少なくとも一つによるＵＬ  ＳＦ位置、ｖｉ）及び／又はＵｐＰＴＳ位置と同一地点で行われなければならないとすれば、端末は該当のＰ−ＳＲＳ伝送が有効である（Ｖａｌｉｄ）と判断することができる。
【０１６０】
一方、該当のＰ−ＳＲＳ伝送がＴＤＤ  ｅＩＭＴＡ  ＰＣｅｌｌのｉ）下りリンクＨＡＲＱ参照設定、ｉｉ）あるいは上りリンクＨＡＲＱ参照設定、ｉｉｉ）あるいはＳＩＢ１上りリンク−下りリンク設定、ｉｖ）あるいは上りリンク−参照ＨＡＲＱタイムライン、ｖ）あるいは下りリンク−参照ＨＡＲＱタイムラインの少なくとも一つによるＵＬ  ＳＦ位置、ｖｉ）及び／又はＵｐＰＴＳ位置と違う地点で行われなければならないとすれば、端末は専らＰＵＳＣＨ伝送が同時にスケジューリングされた場合（つまり、（ＦＤＤ  ＵＬ  ＣＣ上の）一つのＳＦ上でＰＵＳＣＨとＰ−ＳＲＳが同時に送信されなければならない場合）にのみ該当のＰ−ＳＲＳ伝送が有効である（Ｖａｌｉｄ）と判断するが、ＰＵＳＣＨ伝送が同時にスケジューリングされなかったとすれば、該当のＰ−ＳＲＳ伝送が有効でない（Ｉｎｖａｌｉｄ）と判断することができる。
【０１６１】
規則５−Ｃ：端末は該当のＰ−ＳＲＳ伝送が行われなければならないＦＤＤ  ＵＬ  ＣＣのＳＦ上でＰＵＳＣＨ伝送が同時にスケジューリングされた場合（つまり、（ＦＤＤ  ＵＬ  ＣＣ上の）一つのＳＦ上でＰＵＳＣＨとＰ−ＳＲＳが同時に送信されなければならない場合）にのみ、該当のＰ−ＳＲＳ伝送が有効である（Ｖａｌｉｄ）と判断する。一方、ＰＵＳＣＨ伝送が同時にスケジューリングされなかった場合には、該当のＰ−ＳＲＳ伝送が有効でない（Ｉｎｖａｌｉｄ）と判断する。
【０１６２】
規則５−Ｄ：端末は該当のＰ−ＳＲＳ伝送が（常に）有効でない（Ｉｎｖａｌｉｄ）と判断し、ＦＤＤ  ＵＬ  ＣＣでＰ−ＳＲＳ送信動作を行わないこともできる。
【０１６３】
規則５−Ｅ：端末は該当のＰ−ＳＲＳ伝送が（常に）有効である（Ｖａｌｉｄ）と判断し、ＦＤＤ  ＵＬ  ＣＣでＰ−ＳＲＳ送信動作を行わないこともできる。
【０１６４】
また、ＴＤＤ  ｅＩＭＴＡ  ＰＣｅｌｌとＦＤＤ  ＳＣｅｌｌ（つまり、ＦＤＤ  ＵＬ  ＣＣ、ＦＤＤ  ＤＬ  ＣＣ）が搬送波集成技法に用いられ、ＴＤＤ  ｅＩＭＴＡ  ＰＣｅｌｌがノンフォールバックモード（Ｎｏｎ−Ｆａｌｌｂａｃｋ  Ｍｏｄｅ、つまりアクチュアル（Ａｃｔｕａｌ）上りリンク−下りリンク設定（あるいは有効な（Ｖａｌｉｄ）上りリンク−下りリンク設定）に運営されるとき、以下の規則５−Ｆに基づいてＦＤＤ  ＳＣｅｌｌ上のＰ−ＳＲＳ伝送の有効性を判断することができる。
【０１６５】
規則５−Ｆ：（ＦＤＤ  ＵＬ  ＣＣ上の）該当のＰ−ＳＲＳ伝送がＴＤＤ  ｅＩＭＴＡ  ＰＣｅｌｌのｉ）アクチュアル（Ａｃｔｕａｌ）上りリンク−下りリンク設定、ｉｉ）あるいは下りリンクＨＡＲＱ参照設定、ｉｉｉ）あるいは上りリンクＨＡＲＱ参照設定、ｉｖ）あるいはＳＩＢ１上りリンク−下りリンク設定、ｖ）あるいは上りリンク−参照ＨＡＲＱタイムライン、ｖｉ）あるいは下りリンク−参照ＨＡＲＱタイムラインによるＵＬ  ＳＦ位置、ｖｉｉ）及び／又はＵｐＰＴＳ位置と同一地点で行われなければならないとすれば、端末は該当のＰ−ＳＲＳ伝送が有効である（Ｖａｌｉｄ）と判断することができる。しかし、ｉ）〜ｖｉｉ）の位置と違う地点でＰ−ＳＲＳが送信されるとすれば、該当のＰ−ＳＲＳ伝送が有効でない（Ｉｎｖａｌｉｄ）と判断することができる。
【０１６６】
前述した本発明の提案方法及びこれに対する実施例／規則／設定は搬送波集成技法（ＣＡ）が適用された状況下で、ｉ）少なくとも特定の一つのセルの無線リソース用途が負荷状態によって動的に変更される場合、ｉｉ）少なくとも特定の一つのセルの伝送モード（ＴＭ）が前もって定義された伝送モードに指定される場合、ｉｉｉ）少なくとも特定の一つのセル（例えば、ＴＤＤ  ｅＩＭＴＡ  Ｃｅｌｌ）の上りリンク−下りリンク設定（ＵＬ−ＤＬ  Ｃｏｎｆｉｇｕｒａｔｉｏｎ）が特定の値に（再）設定された場合の少なくとも一つの場合にのみ限定的に適用されるように設定されることができる。
【０１６７】
また、前述した本発明の提案方法／実施例／規則／設定も本発明の具現方法の一つに含まれることができるので、一種の実施例と見なされることができるのは明らかな事実である。また、前述した提案方法／実施例／規則／設定はそれぞれ独立的に具現されることができるが、一部の提案方法／実施例／規則／設定の組合せあるいは併合形態に具現されることもできる。
【０１６８】
また、前述した提案方法／実施例／規則／設定についての情報あるいは該当の提案方法／実施例／規則／設定の適用可否についての情報などは、基地局が端末に前もって定義されたシグナル（例えば、物理階層あるいは上位階層シグナル）によって知らせることができる。
【０１６９】
また、前述した実施例は、ＴＤＤ  ＣｅｌｌとＦＤＤ  Ｃｅｌｌが搬送波集成技法（ＣＡ）に用いられる場合（例えば、ＴＤＤ（ｅＩＭＴＡ／Ｎｏｎ−ｅＩＭＴＡ）ＰＣｅｌｌとＦＤＤ  ＳＣｅｌｌあるいはＦＤＤＰＣｅｌｌとＴＤＤ（ｅＩＭＴＡ／Ｎｏｎ−ｅＩＭＴＡ）ＳＣｅｌｌ）にのみ限定的に適用されるように設定されることもできる。
【０１７０】
また、前述した提案方法／実施例／規則／設定は搬送波集成技法（ＣＡ）が適用された状況下で、（該当のセル（Ａｇｇｒｅｇａｔｅｄ  Ｃｅｌｌｓ）上で同時送／受信（Ｓｉｍｕｌｔａｎｅｏｕｓ  ＴＸ  ａｎｄ  ＲＸ）動作を行うことができない端末（例えば、Ｈａｌｆ  Ｄｕｐｌｅｘ  ＵＥ）の観点で）Ｐｒｉｍａｒｙ  Ｃｅｌｌ（ＰＣｅｌｌ）上のサブフレームの使用がＳｅｃｏｎｄａｒｙ  Ｃｅｌｌ（ＳＣｅｌｌ）のものより優先する（Ｐｒｉｏｒｉｔｉｚａｔｉｏｎ）場合にのみ限定的に適用されるように設定されることもできる。
【０１７１】
さらに、前述した提案方法／実施例／規則／設定は、搬送波集成技法（ＣＡ）が適用されたセル（Ａｇｇｒｅｇａｔｅｄ  Ｃｅｌｌｓ）上で同時送／受信（Ｓｉｍｕｌｔａｎｅｏｕｓ  ＴＸ  ａｎｄ  ＲＸ）動作を行うことができない端末（及び／又はＨａｌｆ  Ｄｕｐｌｅｘ端末）にのみ限定的に適用されるように設定することができる。
【０１７２】
また、前述した提案方法／実施例／規則／設定は互いに異なる（Ｄｉｆｆｅｒｅｎｔ）ＴＤＤ上りリンク−下りリンク設定（例えば、ＳＩＢ１上りリンク−下りリンク設定（ＰＣｅｌｌ）、ＲａｄｉｏＲｅｓｏｕｒｃｅＣｏｎｆｉｇＣｏｍｍｏｎＳＣｅｌｌ  ＩＥ（ＳＣｅｌｌ））を有するセルが搬送波集成技法（ＣＡ）に用いられ、この中で少なくとも一つのセルの無線リソース用途が負荷状態によって動的に変更される場合にも拡張して適用可能である。
【０１７３】
図１２は本発明の一実施例に適用されることができる基地局及び端末を例示する。
【０１７４】
無線通信システムにリレーが含まれる場合、バックホールリンクでの通信は基地局とリレーの間でなされ、アクセスリンクでの通信はリレーと端末の間でなされる。よって、図面に例示された基地局又は端末は状況によってリレーに取り替えられることができる。
【０１７５】
図１２を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は本発明で提案した手順及び／又は方法を具現するように構成されることができる。メモリ１１４はプロセッサ１１２に連結され、プロセッサ１１２の動作に関連した多様な情報を記憶する。ＲＦユニット１１６はプロセッサ１１２に連結され、無線信号を送信及び／又は受信する。端末１２０は、プロセッサ１２２、メモリ１２４及びＲＦユニット１２６を含む。プロセッサ１２２は、本発明で提案した手順及び／又は方法を具現するように構成されることができる。メモリ１２４はプロセッサ１２２に連結され、プロセッサ１２２の動作に関連した多様な情報を記憶する。ＲＦユニット１２６はプロセッサ１２２に連結され、無線信号を送信及び／又は受信する。基地局１１０及び／又は端末１２０は単一アンテナ又は多重アンテナを有することができる。
【０１７６】
以上に説明した実施例は本発明の構成要素及び特徴が所定形態に結合されたものである。それぞれの構成要素又は特徴は別に明示的に言及しない限り、選択的なものに考慮しなければならない。それぞれの構成要素又は特徴は他の構成要素や特徴と組み合わせられない形態に実施することができる。また、一部の構成要素及び／又は特徴を組み合わせて本発明の実施例を構成することも可能である。本発明の実施例で説明する動作の順序は変更可能である。ある実施例の一部の構成や特徴は他の実施例に含まれることができ、あるいは他の実施例の対応する構成又は特徴に取り替えられることができる。請求範囲で明示的な引用関係がない請求項を組み合わせて実施例を構成するか出願後の補正によって新たな請求項として含ませることができるのはいうまでもない。
【０１７７】
本文書で基地局によって行われると説明された特定の動作は場合によってはその上位ノード（ｕｐｐｅｒ  ｎｏｄｅ）によって行われることができる。すなわち、基地局を含む複数のネットワークノード（ｎｅｔｗｏｒｋ  ｎｏｄｅｓ）からなるネットワークで端末との通信のために行われる多様な動作は基地局又は基地局以外の他のネットワークノードによって行われることができるのは明らかである。基地局は固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語に取り替えられることができる。
【０１７８】
本発明による実施例は、多様な手段、例えば、ハードウェア、ファームウエア（ｆｉｒｍｗａｒｅ）、ソフトウェア又はそれらの組合せなどによって具現されることができる。ハードウェアによる具現の場合、本発明の一実施例は一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されることができる。
【０１７９】
ファームウエアやソフトウェアによる具現の場合、本発明の一実施例は以上に説明した機能又は動作を行うモジュール、手順、関数などの形態に具現されることができる。ソフトウェアコードはメモリユニットに記憶され、プロセッサによって駆動されることができる。
【０１８０】
前記メモリユニットは前記プロセッサの内部又は外部に位置し、既に知られている多様な手段によって前記プロセッサとデータをやり取りすることができる。
【０１８１】
本発明は本発明の特徴を逸脱しない範囲内で他の特定の形態に具体化されることができるのは当業者に明らかである。したがって、前記詳細な説明はすべての面で制限的に解釈されてはいけなく、例示的なものに考慮されなければならない。本発明の範囲は添付の請求範囲の合理的解釈によって決定されなければならなく、本発明の等価的範囲内でのすべての変更は本発明の範囲に含まれる。
【産業上の利用可能性】
【０１８２】
前述したような無線リソースの用途変更を支援する無線通信システムにおける信号の有効性を判断する方法及びそのための装置は、３ＧＰＰ  ＬＴＥシステムに適用される例を中心に説明したが、３ＧＰＰ  ＬＴＥシステム以外にも多様な無線通信システムに適用することが可能である。
【図１】
0006360202.tif 000013
【図２】
0006360202.tif 000014
【図３】
0006360202.tif 000015
【図４】
0006360202.tif 000016
【図５】
0006360202.tif 000017
【図６】
0006360202.tif 000018
【図７】
0006360202.tif 000019
【図８】
0006360202.tif 000020
【図９】
0006360202.tif 000021
【図１０】
0006360202.tif 000022
【図１１】
0006360202.tif 000023
【図１２】
0006360202.tif 000024